(57)【要約】      （修正有）【課題】ダウンリンクキャリアアグリゲーションが可能なワイヤレス通信ネットワークにおけるモビリティイベント中のデータ損失の低減をもたらすワイヤレス通信のための方法および装置を提供する。【解決手段】サービングセル変更の前と後の両方で、同じＵＥのためのサービングセルとしてノードＢが活動するときに、フローに対応するデータを、ノードＢにおける少なくとも１つのバッファで維持する。また、バッファされたデータを、サービングセル変更前にＵＥのためのサービングセルとして活動するノードＢから、サービングセル変更後にＵＥのためのサービングセルとして活動するノードＢに転送する。【選択図】図１２
2018033141.tif 000002
【特許請求の範囲】
【請求項１】
ワイヤレス通信の方法であって、
それぞれ第１のサービングセルと第２のサービングセルとを提供する少なくとも第１の基地局と第２の基地局とを利用しているユーザ機器（ＵＥ）に対し、前記ＵＥにおいてアグリゲートされるダウンリンクフローを送信することと、
サービングセル変更を実行することであって、前記第１の基地局または前記第２の基地局が、前記ＵＥに対するサービングセルとしての活動を続けることと、
前記サービングセル変更前の前記フローに対応するデータを、前記サービングセル変更後に前記ＵＥに送信するための前記活動サービングセルの待ち行列内で維持するよう求める命令を前記活動サービングセルに送ることと、を備える方法。
【請求項２】
前記第１のサービングセルおよび前記第２のサービングセルのセル品質をランク付けした報告を前記ＵＥから受信することであって、前記ランク付けされたセル品質による最強のセル品質に基づいて前記活動サービングセルが選択されることをさらに備え、
前記活動サービングセルは１次サービングセルであり、非選択サービングセルは２次サービングセルである、請求項１に記載の方法。
【請求項３】
前記報告は、モビリティイベントの発生時の、１つまたは複数の基地局によって提供された１つまたは複数の近隣セルの前記セル品質のランク付けをさらに含み、前記モビリティイベントの前記発生時に、近隣セルが、前記近隣セルの前記セル品質が前記１次サービングセルまたは前記２次サービングセルの前記セル品質よりも強いときに、前記ＵＥに関連するアクティブセットに追加される、請求項２に記載の方法。
【請求項４】
前記サービングセル変更前の前記フローに対応するデータを、前記サービングセル変更後に前記ＵＥに送信するための前記活動サービングセルの待ち行列内で維持するよう求める命令を前記活動サービングセルに送ることをさらに備える、請求項３に記載の方法。
【請求項５】
前記近隣サービングセルの前記セル品質が前記１次サービングセルの前記セル品質を上回るときに、前記１次サービングセルを前記近隣サービングセルに置き換えることによって、１次サービングセル変更を実行することであって、前記近隣サービングセルが新しい１次サービングセルになることと、
前記１次サービングセルの前記セル品質が前記２次サービングセルの前記セル品質を上回るときに、前記２次セルを前記１次サービングセルに置き換えることによって、２次サービングセル変更を実行することであって、前記１次サービングセルが新しい２次サービングセルになることと、
前記新しい１次サービングセルの待ち行列内で前記フローに対応する前記データを維持することと、
前記２次サービングセルの待ち行列内の前記フローに対応する前記データをフラッシュすることとをさらに備える、請求項４に記載の方法。
【請求項６】
前記２次サービングセルの前記セル品質が前記１次サービングセルの前記セル品質を上回るときに、前記１次サービングセルを前記２次サービングセルに置き換えることによって、１次サービングセル変更を実行することであって、前記２次サービングセルが新しい１次サービングセルになることと、
前記近隣サービングセルの前記セル品質が前記２次サービングセルの前記セル品質を上回るときに、前記２次セルを前記近隣サービングセルに置き換えることによって、２次サービングセル変更を実行することであって、前記近隣サービングセルが新しい２次サービングセルになることと、
前記新しい１次サービングセルの待ち行列内で前記フローに対応する前記データを維持することと、
前記２次サービングセルの待ち行列内の前記フローに対応する前記データをフラッシュすることとをさらに備える、請求項４に記載の方法。
【請求項７】
前記近隣サービングセルの前記セル品質が前記１次サービングセルの前記セル品質を上回るときに、前記１次サービングセルを前記近隣サービングセルに置き換えることによって、１次サービングセル変更を実行することであって、前記近隣サービングセルが新しい１次サービングセルになることと、
前記新しい１次サービングセルの待ち行列内で前記フローに対応する前記データを維持することと、
前記１次サービングセルの待ち行列内の前記フローに対応する前記データをフラッシュすることとをさらに備える、請求項４に記載の方法。
【請求項８】
前記２次サービングセルの前記セル品質が所定のしきい値を下回るときに、前記ＵＥに関連する前記アクティブセットから前記２次サービングセルを除去することと、
前記２次サービングセルの待ち行列内の前記フローに対応する前記データをフラッシュすることとをさらに備える、請求項４に記載の方法。
【請求項９】
前記２次サービングセルの前記セル品質が前記１次サービングセルの前記セル品質を上回るときに、前記１次サービングセルを前記２次サービングセルに置き換えることによって、１次サービングセル変更を実行することであって、前記２次サービングセルが新しい１次サービングセルになることと、
前記１次サービングセルの前記セル品質が所定のしきい値を下回るときに、前記ＵＥに関連する前記アクティブセットから前記１次サービングセルを除去することと、
前記１次サービングセルの待ち行列内の前記フローに対応する前記データをフラッシュすることとをさらに備える、請求項４に記載の方法。
【請求項１０】
前記モビリティイベントは、所定のしきい値に達し、所定の時間にわたり前記所定のしきい値を維持する特定のサービングセルのＥc／Ｉ0のＵＥ測定値である、請求項４に記載の方法。
【請求項１１】
前記モビリティイベントは、所定のしきい値を下回り、所定の時間にわたり前記所定のしきい値を維持する特定のサービングセルのＥc／Ｉ0のＵＥ測定値である、請求項４に記載の方法。
【請求項１２】
ワイヤレス通信のための装置であって、
それぞれ第１のサービングセルと第２のサービングセルとを提供する少なくとも第１の基地局と第２の基地局とを利用しているユーザ機器（ＵＥ）に対し、前記ＵＥにおいてアグリゲートされるダウンリンクフローを送信するための手段と、
サービングセル変更を実行するための手段であって、前記第１の基地局または前記第２の基地局が、前記ＵＥに対するサービングセルとしての活動を続ける手段と、
前記サービングセル変更前の前記フローに対応するデータを、前記サービングセル変更後に前記ＵＥに送信するための前記活動サービングセルの待ち行列内で維持するよう求める命令を前記活動サービングセルに送るための手段と、を備える装置。
【請求項１３】
前記第１のサービングセルおよび前記第２のサービングセルのセル品質をランク付けした報告を前記ＵＥから受信するための手段であって、前記ランク付けされたセル品質による最強のセル品質に基づいて前記活動サービングセルが選択される手段をさらに備え、
前記活動サービングセルは１次サービングセルであり、非選択サービングセルは２次サービングセルである、請求項１２に記載の装置。
【請求項１４】
前記報告は、モビリティイベントの発生時の、１つまたは複数の基地局によって提供された１つまたは複数の近隣セルの前記セル品質のランク付けをさらに含み、前記モビリティイベントの前記発生時に、近隣セルが、前記近隣セルの前記セル品質が前記１次サービングセルまたは前記２次サービングセルの前記セル品質よりも強いときに、前記ＵＥに関連するアクティブセットに追加される、請求項１３に記載の装置。
【請求項１５】
前記サービングセル変更前の前記フローに対応するデータを、前記サービングセル変更後に前記ＵＥに送信するための前記活動サービングセルの待ち行列内で維持するよう求める命令を前記活動サービングセルに送るための手段をさらに備える、請求項１４に記載の方法。
【請求項１６】
前記近隣サービングセルの前記セル品質が前記１次サービングセルの前記セル品質を上回るときに、前記１次サービングセルを前記近隣サービングセルに置き換えることによって、１次サービングセル変更を実行するための手段であって、前記近隣サービングセルが新しい１次サービングセルになる手段と、
前記１次サービングセルの前記セル品質が前記２次サービングセルの前記セル品質を上回るときに、前記２次セルを前記１次サービングセルに置き換えることによって、２次サービングセル変更を実行するための手段であって、前記１次サービングセルが新しい２次サービングセルになる手段と、
前記新しい１次サービングセルの待ち行列内で前記フローに対応する前記データを維持するための手段と、
前記２次サービングセルの待ち行列内の前記フローに対応する前記データをフラッシュするための手段と、をさらに備える、請求項１５に記載の装置。
【請求項１７】
前記２次サービングセルの前記セル品質が前記１次サービングセルの前記セル品質を上回るときに、前記１次サービングセルを前記２次サービングセルに置き換えることによって、１次サービングセル変更を実行するための手段であって、前記２次サービングセルが新しい１次サービングセルになる手段と、
前記近隣サービングセルの前記セル品質が前記２次サービングセルの前記セル品質を上回るときに、前記２次セルを前記近隣サービングセルに置き換えることによって、２次サービングセル変更を実行するための手段であって、前記近隣サービングセルが新しい２次サービングセルになる手段と、
前記新しい１次サービングセルの待ち行列内で前記フローに対応する前記データを維持するための手段と、
前記２次サービングセルの待ち行列内の前記フローに対応する前記データをフラッシュするための手段と、をさらに備える、請求項１５に記載の装置。
【請求項１８】
前記近隣サービングセルの前記セル品質が前記１次サービングセルの前記セル品質を上回るときに、前記１次サービングセルを前記近隣サービングセルに置き換えることによって、１次サービングセル変更を実行するための手段であって、前記近隣サービングセルが新しい１次サービングセルになる手段と、
前記新しい１次サービングセルの待ち行列内で前記フローに対応する前記データを維持するための手段と、
前記１次サービングセルの待ち行列内の前記フローに対応する前記データをフラッシュするための手段と、をさらに備える、請求項１５に記載の装置。
【請求項１９】
前記２次サービングセルの前記セル品質が所定のしきい値を下回るときに、前記ＵＥに関連する前記アクティブセットから前記２次サービングセルを除去するための手段と、
前記２次サービングセルの待ち行列内の前記フローに対応する前記データをフラッシュするための手段と、をさらに備える、請求項１５に記載の装置。
【請求項２０】
前記２次サービングセルの前記セル品質が前記１次サービングセルの前記セル品質を上回るときに、前記１次サービングセルを前記２次サービングセルに置き換えることによって、１次サービングセル変更を実行するための手段であって、前記２次サービングセルが新しい１次サービングセルになる手段と、
前記１次サービングセルの前記セル品質が所定のしきい値を下回るときに、前記ＵＥに関連する前記アクティブセットから前記１次サービングセルを除去するための手段と、
前記１次サービングセルの待ち行列内の前記フローに対応する前記データをフラッシュするための手段と、をさらに備える、請求項１５に記載の装置。
【請求項２１】
コンピュータに、それぞれ第１のサービングセルと第２のサービングセルとを提供する少なくとも第１の基地局と第２の基地局とを利用しているユーザ機器（ＵＥ）に対し、前記ＵＥにおいてアグリゲートされるダウンリンクフローを送信させるための命令と、
コンピュータに、サービングセル変更を実行させるための命令であって、前記第１の基地局または前記第２の基地局が、前記ＵＥに対するサービングセルとしての活動を続ける命令と、
コンピュータに、前記サービングセル変更前の前記フローに対応するデータを、前記サービングセル変更後に前記ＵＥに送信するための前記活動サービングセルの待ち行列内で維持するよう求める命令を前記活動サービングセルに送らせるための命令と、
を備えるコンピュータ可読媒体を備えるコンピュータプログラム製品。
【請求項２２】
前記コンピュータ可読媒体が、
コンピュータに、前記第１のサービングセルおよび前記第２のサービングセルのセル品質をランク付けした報告を前記ＵＥから受信させるための命令であって、前記ランク付けされたセル品質による最強のセル品質に基づいて前記活動サービングセルが選択される命令をさらに備え、
前記活動サービングセルは１次サービングセルであり、非選択サービングセルは２次サービングセルである、請求項２１に記載のコンピュータプログラム製品。
【請求項２３】
前記報告は、モビリティイベントの発生時の、１つまたは複数の基地局によって提供された１つまたは複数の近隣セルの前記セル品質のランク付けをさらに含み、前記モビリティイベントの前記発生時に、近隣セルが、前記近隣セルの前記セル品質が前記１次サービングセルまたは前記２次サービングセルの前記セル品質よりも強いときに、前記ＵＥに関連するアクティブセットに追加される、請求項２２に記載の装置。
【請求項２４】
前記コンピュータ可読媒体が、
コンピュータに、前記サービングセル変更前の前記フローに対応するデータを、前記サービングセル変更後に前記ＵＥに送信するための前記活動サービングセルの待ち行列内で維持するよう求める命令を前記活動サービングセルに送らせるための命令をさらに備える、請求項２３に記載の方法。
【請求項２５】
前記コンピュータ可読媒体が、
コンピュータに、前記近隣サービングセルの前記セル品質が前記１次サービングセルの前記セル品質を上回るときに、前記１次サービングセルを前記近隣サービングセルに置き換えることによって、１次サービングセル変更を実行させるための命令であって、前記近隣サービングセルが新しい１次サービングセルになる命令と、
コンピュータに、前記１次サービングセルの前記セル品質が前記２次サービングセルの前記セル品質を上回るときに、前記２次セルを前記１次サービングセルに置き換えることによって、２次サービングセル変更を実行させるための命令であって、前記１次サービングセルが新しい２次サービングセルになる命令と、
コンピュータに、前記新しい１次サービングセルの待ち行列内で前記フローに対応する前記データを維持させるための命令と、
コンピュータに、前記２次サービングセルの待ち行列内の前記フローに対応する前記データをフラッシュさせるための命令と、をさらに備える、請求項２４に記載のコンピュータプログラム製品。
【請求項２６】
前記コンピュータ可読媒体が、
コンピュータに、前記２次サービングセルの前記セル品質が前記１次サービングセルの前記セル品質を上回るときに、前記１次サービングセルを前記２次サービングセルに置き換えることによって、１次サービングセル変更を実行させるための命令であって、前記２次サービングセルが新しい１次サービングセルになる命令と、
コンピュータに、前記近隣サービングセルの前記セル品質が前記２次サービングセルの前記セル品質を上回るときに、前記２次セルを前記近隣サービングセルに置き換えることによって、２次サービングセル変更を実行させるための命令であって、前記近隣サービングセルが新しい２次サービングセルになる命令と、
コンピュータに、前記新しい１次サービングセルの待ち行列内で前記フローに対応する前記データを維持させるための命令と、
コンピュータに、前記２次サービングセルの待ち行列内の前記フローに対応する前記データをフラッシュさせるための命令と、をさらに備える、請求項２４に記載のコンピュータプログラム製品。
【請求項２７】
前記コンピュータ可読媒体が、
コンピュータに、前記近隣サービングセルの前記セル品質が前記１次サービングセルの前記セル品質を上回るときに、前記１次サービングセルを前記近隣サービングセルに置き換えることによって、１次サービングセル変更を実行させるための命令であって、前記近隣サービングセルが新しい１次サービングセルになる命令と、
コンピュータに、前記新しい１次サービングセルの待ち行列内で前記フローに対応する前記データを維持させるための命令と、
コンピュータに、前記１次サービングセルの待ち行列内の前記フローに対応する前記データをフラッシュさせるための命令と、をさらに備える、請求項２４に記載のコンピュータプログラム製品。
【請求項２８】
前記コンピュータ可読媒体が、
コンピュータに、前記２次サービングセルの前記セル品質が所定のしきい値を下回るときに、前記ＵＥに関連する前記アクティブセットから前記２次サービングセルを除去させるための命令と、
コンピュータに、前記２次サービングセルの待ち行列内の前記フローに対応する前記データをフラッシュさせるための命令と、をさらに備える、請求項２４に記載のコンピュータプログラム製品。
【請求項２９】
前記コンピュータ可読媒体が、
コンピュータに、前記２次サービングセルの前記セル品質が前記１次サービングセルの前記セル品質を上回るときに、前記１次サービングセルを前記２次サービングセルに置き換えることによって、１次サービングセル変更を実行させるための命令であって、前記２次サービングセルが新しい１次サービングセルになる命令と、
コンピュータに、前記１次サービングセルの前記セル品質が所定のしきい値を下回るときに、前記ＵＥに関連する前記アクティブセットから前記１次サービングセルを除去させるための命令と、
コンピュータに、前記１次サービングセルの待ち行列内の前記フローに対応する前記データをフラッシュさせるための命令と、をさらに備える、請求項２４に記載のコンピュータプログラム製品。
【請求項３０】
ワイヤレス通信のための装置であって、
少なくとも１つのプロセッサと、
前記少なくとも１つのプロセッサに結合されたメモリと、を備え、
前記少なくとも１つのプロセッサが、
それぞれ第１のサービングセルと第２のサービングセルとを提供する少なくとも第１の基地局と第２の基地局とを利用しているユーザ機器（ＵＥ）に対し、前記ＵＥにおいてアグリゲートされるダウンリンクフローを送信することと、
サービングセル変更を実行することであって、前記第１の基地局または前記第２の基地局が、前記ＵＥに対するサービングセルとしての活動を続けることと、
前記サービングセル変更前の前記フローに対応するデータを、前記サービングセル変更後に前記ＵＥに送信するための前記活動サービングセルの待ち行列内で維持するよう求める命令を前記活動サービングセルに送ることと、を行うように構成された、装置。
【請求項３１】
前記少なくとも１つのプロセッサが、
前記第１のサービングセルおよび前記第２のサービングセルのセル品質をランク付けした報告を前記ＵＥから受信することであって、前記ランク付けされたセル品質による最強のセル品質に基づいて前記活動サービングセルが選択されることを行うようにさらに構成され、
前記活動サービングセルは１次サービングセルであり、非選択サービングセルは２次サービングセルである、請求項３０に記載の装置。
【請求項３２】
前記報告は、モビリティイベントの発生時の、１つまたは複数の基地局によって提供された１つまたは複数の近隣セルの前記セル品質のランク付けをさらに含み、前記モビリティイベントの前記発生時に、近隣セルが、前記近隣セルの前記セル品質が前記１次サービングセルまたは前記２次サービングセルの前記セル品質よりも強いときに、前記ＵＥに関連するアクティブセットに追加される、請求項３１に記載の装置。
【請求項３３】
前記少なくとも１つのプロセッサが、
前記サービングセル変更前の前記フローに対応するデータを、前記サービングセル変更後に前記ＵＥに送信するための前記活動サービングセルの待ち行列内で維持するよう求める命令を前記活動サービングセルに送ることを行うようにさらに構成された、請求項３２に記載の装置。
【請求項３４】
前記少なくとも１つのプロセッサが、
前記近隣サービングセルの前記セル品質が前記１次サービングセルの前記セル品質を上回るときに、前記１次サービングセルを前記近隣サービングセルに置き換えることによって、１次サービングセル変更を実行することであって、前記近隣サービングセルが新しい１次サービングセルになることと、
前記１次サービングセルの前記セル品質が前記２次サービングセルの前記セル品質を上回るときに、前記２次セルを前記１次サービングセルに置き換えることによって、２次サービングセル変更を実行することであって、前記１次サービングセルが新しい２次サービングセルになることと、
前記新しい１次サービングセルの待ち行列内で前記フローに対応する前記データを維持することと、
前記２次サービングセルの待ち行列内の前記フローに対応する前記データをフラッシュすることと、を行うようにさらに構成された、請求項３３に記載の装置。
【請求項３５】
前記少なくとも１つのプロセッサが、
前記２次サービングセルの前記セル品質が前記１次サービングセルの前記セル品質を上回るときに、前記１次サービングセルを前記２次サービングセルに置き換えることによって、１次サービングセル変更を実行することであって、前記２次サービングセルが新しい１次サービングセルになることと、
前記近隣サービングセルの前記セル品質が前記２次サービングセルの前記セル品質を上回るときに、前記２次セルを前記近隣サービングセルに置き換えることによって、２次サービングセル変更を実行することであって、前記近隣サービングセルが新しい２次サービングセルになることと、
前記新しい１次サービングセルの待ち行列内で前記フローに対応する前記データを維持することと、
前記２次サービングセルの待ち行列内の前記フローに対応する前記データをフラッシュすることと、を行うようにさらに構成された、請求項３３に記載の装置。
【請求項３６】
前記少なくとも１つのプロセッサが、
前記近隣サービングセルの前記セル品質が前記１次サービングセルの前記セル品質を上回るときに、前記１次サービングセルを前記近隣サービングセルに置き換えることによって、１次サービングセル変更を実行することであって、前記近隣サービングセルが新しい１次サービングセルになることと、
前記新しい１次サービングセルの待ち行列内で前記フローに対応する前記データを維持することと、
前記１次サービングセルの待ち行列内の前記フローに対応する前記データをフラッシュすることとを行うようにさらに構成された、請求項３３に記載の装置。
【請求項３７】
前記少なくとも１つのプロセッサが、
前記２次サービングセルの前記セル品質が所定のしきい値を下回るときに、前記ＵＥに関連する前記アクティブセットから前記２次サービングセルを除去することと、
前記２次サービングセルの待ち行列内の前記フローに対応する前記データをフラッシュすることとを行うようにさらに構成された、請求項３３に記載の装置。
【請求項３８】
前記少なくとも１つのプロセッサが、
前記２次サービングセルの前記セル品質が前記１次サービングセルの前記セル品質を上回るときに、前記１次サービングセルを前記２次サービングセルに置き換えることによって、１次サービングセル変更を実行することであって、前記２次サービングセルが新しい１次サービングセルになることと、
前記１次サービングセルの前記セル品質が所定のしきい値を下回るときに、前記ＵＥに関連する前記アクティブセットから前記１次サービングセルを除去することと、
前記１次サービングセルの待ち行列内の前記フローに対応する前記データをフラッシュすることと、を行うようにさらに構成された、請求項３３に記載の装置。
【発明の詳細な説明】
【技術分野】
【０００１】
関連出願の相互参照
[0001]  本出願は、その内容全体が参照により本明細書に組み込まれている、「Ｓｙｓｔｅｍ  ａｎｄ  Ｍｅｔｈｏｄ  ｆｏｒ  Ｒｅｄｕｃｉｎｇ  Ｄａｔａ  Ｌｏｓｓ  Ｄｕｒｉｎｇ  ａ  Ｓｅｒｖｉｎｇ  Ｃｅｌｌ  Ｃｈａｎｇｅ  ｉｎ  ａ  Ｍｕｌｔｉ−ｆｌｏｗ  ＨＳＰＤＡ  Ｃｏｍｍｕｎｉｃａｔｉｏｎ  Ｎｅｔｗｏｒｋ」と題し、２０１２年３月８日に米国特許商標局に出願された特許仮出願第６１／６０８，４３３号の優先権および利益を主張するものである。
【０００２】
[0002]  本開示の態様は、概して、ワイヤレス通信システムに関し、より詳細には、キャリアアグリゲーションのためのダウンリンク用に構成されたシステムにおけるサービングセル変更に関する。
【背景技術】
【０００３】
[0003]  ワイヤレス通信ネットワークは、電話、ビデオ、データ、メッセージング、ブロードキャストなどの様々な通信サービスを提供するために広く展開されている。そのようなネットワークは、通常、多元接続ネットワークであり、利用可能なネットワークリソースを共有することによって、複数のユーザのための通信をサポートする。そのようなネットワークの一例は、ＵＭＴＳ地上波無線アクセスネットワーク（ＵＴＲＡＮ）である。ＵＴＲＡＮは、第３世代パートナーシッププロジェクト（３ＧＰＰ（登録商標））によってサポートされる第３世代（３Ｇ）携帯電話技術である、ユニバーサルモバイル電気通信システム（ＵＭＴＳ）の一部として規定された無線アクセスネットワーク（ＲＡＮ）である。ＵＭＴＳは、グローバルシステムフォアモバイルコミュニケーション（ＧＳＭ（登録商標））技術の後継であり、現在、広帯域符号分割多元接続（Ｗ−ＣＤＭＡ（登録商標））、時分割符号分割多元接続（ＴＤ−ＣＤＭＡ）、および時分割同期符号分割多元接続（ＴＤ−ＳＣＤＭＡ）など、様々なエアインターフェース規格をサポートする。ＵＭＴＳは、高速パケットアクセス（ＨＳＰＡ）など、拡張型３Ｇデータ通信プロトコルもサポートし、このプロトコルは、より高いデータ転送速度と容量とを、関連するＵＭＴＳネットワークに提供する。
【０００４】
[0004]  モバイルブロードバンドアクセスに対する需要が高まり続けるにつれて、モバイルブロードバンドアクセスに対する増大する需要を満たすためだけでなく、モバイル通信のユーザエクスペリエンスを進化および向上させるためにも、研究および開発がＵＭＴＳ技術を進化させ続けている。
【０００５】
[0005]  一例として、マルチフローＨＳＤＰＡが最近導入されており、マルチフローＨＳＤＰＡでは複数のセル（単一の基地局または複数の基地局によって提供される）が、移動局への高速ダウンリンク通信を、同じ周波数キャリア内で、それらのセルからの送信を移動局がアグリゲートできるように実現することができる。比較的新しいシステムとして、このシステムでは、ＤＣ−ＨＳＤＰＡなどの他のダウンリンクキャリアアグリゲーションシステムでは対処されなかった可能性のある様々な問題が生じる。したがって、システムレベルアーキテクチャ、パケットフロー制御、モビリティなどに関する問題を識別し、そうした問題に対処する必要がある。
【発明の概要】
【０００６】
[0006]  以下で、そのような態様を基本的に理解するために、本開示の１つまたは複数の態様の簡略化された概要を提示する。この概要は、本開示のすべての企図された特徴の包括的な概要ではなく、本開示のすべての態様の主要または重要な要素を識別するものでも、本開示のいずれかまたはすべての態様の範囲を定めるものでもない。その唯一の目的は、後で提示されるより詳細な説明への導入として、本開示の１つまたは複数の態様のいくつかの概念を簡略化された形で提示することである。
【０００７】
[0007]  一実施形態によれば、本開示は、マルチフローＨＳＰＤＡ通信ネットワークにおけるサービングセル変更中のデータ損失が低減されるワイヤレス通信の方法を提供する。本方法において、それぞれ第１のサービングセルと第２のサービングセルとを提供する少なくとも第１の基地局と第２の基地局とを利用しているユーザ機器（ＵＥ）に対し、ＵＥにおいてアグリゲートされるダウンリンクフローがＲＮＣから送信される。サービングセルは、１つまたは複数の異なるノードＢおよび１つまたは複数の異なる周波数／キャリアからのものであり得る。次に、サービングセル変更がＲＮＣによって実行されてよく、この場合に第１の基地局または第２の基地局は、ＵＥに対するサービングセルとしての活動を続ける。サービングセル変更前のフローに対応するデータは、サービングセル変更後にＵＥに送信するための活動サービングセルの待ち行列内で維持され得る。第１のサービングセルおよび第２のサービングセルのセル品質は、活動サービングセルを選択するために最強から最弱までランク付けされる。活動サービングセルは１次サービングセルであり、非選択サービングセルは２次サービングセルである。
【０００８】
[0008]  サービングセル変更を実行する前に、第１のサービングセルおよび第２のサービングセルのセル品質をランク付けした報告がＵＥから受信されてよく、この場合、ランク付けされたセル品質による最強のセル品質に基づいて活動サービングセルが選択され、活動サービングセルは１次サービングセルであり、非選択サービングセルは２次サービングセルである。さらに、１つまたは複数の基地局によって提供された１つまたは複数の近隣サービングセルのセル品質がランク付けされ得る。モビリティイベントの発生時に、近隣サービングセルが、近隣セルのセル品質が１次サービングセルまたは２次サービングセルのセル品質よりも強いときに、ＵＥに関連するアクティブセットに追加され得る。サービング変更があるとき、サービングセル変更前のフローに対応するデータを、サービングセル変更後にＵＥに送信するための活動サービングセルの待ち行列内で維持するよう求める命令が、活動サービングセルに送られ得る。
【０００９】
[0009]  モビリティイベントは、所定のしきい値に達し、所定の時間にわたり所定のしきい値を維持する特定のサービングセルのＥc／Ｉ0のＵＥ測定値、または所定のしきい値を下回り、所定の時間にわたり所定のしきい値を維持する特定のサービングセルのＥc／Ｉ0の測定値であり得る。モビリティイベントの発生時に、１つまたは複数の近隣サービングセルからの近隣サービングセルが、近隣セルのセル品質が１次サービングセルまたは２次サービングセルのセル品質よりも強いときに、ＵＥに関連するアクティブセットに追加される。
【００１０】
[0010]  一態様によれば、近隣サービングセルのセル品質が１次サービングセルのセル品質を上回るときに、１次サービングセルを近隣サービングセルに置き換えることによって、１次サービングセル変更が実行され得る。次いで、近隣サービングセルは新しい１次サービングセルになる。さらに、１次サービングセルのセル品質が２次サービングセルのセル品質を上回るときに、２次セルを１次サービングセルに置き換えることによって、２次サービングセル変更が実行され得る。１次サービングセルは新しい２次サービングセルになる。フローに対応するデータは、新しい１次サービングセルの待ち行列内で維持され、フローに対応するデータは、２次サービングセルの待ち行列からフラッシュされる。
【００１１】
[0011]  一態様によれば、２次サービングセルのセル品質が１次サービングセルのセル品質を上回るときに、１次サービングセルを２次サービングセルに置き換えることによって、１次サービングセル変更が実行され得る。次いで、２次サービングセルは新しい１次サービングセルになる。さらに、近隣サービングセルのセル品質が２次サービングセルのセル品質を上回るときに、２次セルを近隣サービングセルに置き換えることによって、２次サービングセル変更が実行され得る。近隣サービングセルは新しい２次サービングセルになる。フローに対応するデータは、新しい１次サービングセルの待ち行列内で維持され、フローに対応するデータは、２次サービングセルの待ち行列からフラッシュされる。
【００１２】
[0012]  一態様によれば、近隣サービングセルのセル品質が１次サービングセルのセル品質を上回るときに、１次サービングセルを近隣サービングセルに置き換えることによって、１次サービングセル変更が実行され得る。次いで、近隣サービングセルは新しい１次サービングセルになる。フローに対応するデータは、新しい１次サービングセルの待ち行列内で維持され、フローに対応するデータは、１次サービングセルの待ち行列からフラッシュされる。
【００１３】
[0013]  一態様によれば、第２のサービングセルのセル品質が所定のしきい値を下回るときに、２次サービングセルは、ＵＥに関連するアクティブセットから除去される。フローに対応するデータは、２次サービングセルの待ち行列からフラッシュされる。
【００１４】
[0014]  一態様によれば、２次サービングセルのセル品質が１次サービングセルのセル品質を上回るときに、１次サービングセルを２次サービングセルに置き換えることによって、１次サービングセル変更が実行され得る。次いで、２次サービングセルは新しい１次サービングセルになる。次いで、１次サービングセルのセル品質が所定のしきい値を下回るときに、１次サービングセルは、ＵＥに関連するアクティブセットから除去される。フローに対応するデータは、１次サービングセルの待ち行列からフラッシュされる。
【００１５】
[0015]  別の実施形態によれば、本開示は、ワイヤレス通信のための装置を提供する。本装置は、それぞれ第１のサービングセルと第２のサービングセルとを提供する少なくとも第１の基地局と第２の基地局とを利用しているユーザ機器（ＵＥ）に対し、ＵＥにおいてアグリゲートされるダウンリンクフローを送信するための手段と、サービングセル変更を実行するための手段であって、第１の基地局または第２の基地局が、ＵＥに対するサービングセルとしての活動を続ける、手段と、サービングセル変更前のフローに対応するデータを、サービングセル変更後にＵＥに送信するための活動サービングセルの待ち行列内で維持するための手段とを備え得る。サービングセル変更を実行する前に、本装置は、第１のサービングセルおよび第２のサービングセルのセル品質をランク付けした報告をＵＥから受信するための手段であって、ランク付けされたセル品質による最強のセル品質に基づいて活動サービングセルが選択され、活動サービングセルは１次サービングセルであり、非選択サービングセルは２次サービングセルである、手段をさらに備え得る。報告は、モビリティイベントの発生時の、１つまたは複数の基地局によって提供された１つまたは複数の近隣セルのセル品質のランク付けをさらに含み得、モビリティイベントの発生時に、近隣セルが、近隣セルのセル品質が１次サービングセルまたは２次サービングセルのセル品質よりも強いときに、ＵＥに関連するアクティブセットに追加される。
【００１６】
[0016]  さらに、装置は、サービングセル変更前のフローに対応するデータを、サービングセル変更後にＵＥに送信するための活動サービングセルの待ち行列内で維持するよう求める命令を活動サービングセルに送るための手段を含み得る。
【００１７】
[0017]  別の実施形態によれば、本開示は、マルチフローＨＳＰＤＡ通信ネットワークにおけるサービングセル変更中のデータ損失を低減するように構成されたデバイス上で動作可能なコンピュータ可読媒体を備えるコンピュータプログラム製品を提供する。本コンピュータ可読記憶媒体は、コンピュータに、それぞれ第１のサービングセルと第２のサービングセルとを提供する少なくとも第１の基地局と第２の基地局とを利用しているユーザ機器（ＵＥ）に対し、ＵＥにおいてアグリゲートされるダウンリンクフローを送信させるための命令と、コンピュータに、サービングセル変更を実行させるための命令であって、第１の基地局または第２の基地局が、ＵＥに対するサービングセルとしての活動を続ける、命令と、コンピュータに、サービングセル変更前のフローに対応するデータを、サービングセル変更後にＵＥに送信するための活動サービングセルの待ち行列内で維持させるための命令とを備え得る。本コンピュータ可読記憶媒体は、コンピュータに、それぞれ第１のサービングセルと第２のサービングセルとを提供する少なくとも第１の基地局と第２の基地局とを利用しているユーザ機器（ＵＥ）に対し、ＵＥにおいてアグリゲートされるダウンリンクフローを送信させるための命令と、コンピュータに、サービングセル変更を実行させるための命令であって、第１の基地局または第２の基地局が、ＵＥに対するサービングセルとしての活動を続ける、命令と、コンピュータに、サービングセル変更前のフローに対応するデータを、サービングセル変更後にＵＥに送信するための活動サービングセルの待ち行列内で維持させるための命令とをさらに備え得る。
【００１８】
[0018]  別の実施形態によれば、本開示は、マルチフローＨＳＰＤＡ通信ネットワークにおけるサービングセル変更中のデータ損失を低減するように構成された装置を提供する。本デバイスは、少なくとも１つのプロセッサと、少なくとも１つのプロセッサに結合されたメモリとを備えることができ、少なくとも１つのプロセッサは、それぞれ第１のサービングセルと第２のサービングセルとを提供する少なくとも第１の基地局と第２の基地局とを利用しているユーザ機器（ＵＥ）に対し、ＵＥにおいてアグリゲートされるダウンリンクフローを送信することと、サービングセル変更を実行することであって、第１の基地局または第２の基地局が、ＵＥに対するサービングセルとしての活動を続ける、実行することと、サービングセル変更前のフローに対応するデータを、サービングセル変更後にＵＥに送信するための活動サービングセルの待ち行列内で維持することとを行うように構成される。少なくとも１つのプロセッサは、最強のセル品質を有する活動サービングセルを選択するために、第１のサービングセルおよび第２のサービングセルのセル品質をランク付けすることであって、活動サービングセルは１次サービングセルであり、非選択サービングセルは２次サービングセルである、ランク付けすることと、モビリティイベントのために、１つまたは複数の近隣基地局によって提供された１つまたは複数の近隣サービングセルを監視することと、モビリティイベントの発生時に、１つまたは複数の近隣サービングセルからの近隣サービングセルを、近隣セルのセル品質が１次サービングセルまたは２次サービングセルのセル品質よりも強いときに、ＵＥに関連するアクティブセットに追加することとを行うようにさらに構成される。
【図面の簡単な説明】
【００１９】
【図１】[0019]  処理システムを採用する装置のためのハードウェア実装形態の一例を示すブロック図。
【図２】[0020]  ワイヤレス通信システムの一例を概念的に示すブロック図。
【図３】[0021]  ユーザプレーンおよび制御プレーンのための無線プロトコルアーキテクチャの一例を示す概念図。
【図４】[0022]  アクセスネットワークの一例を示す概念図。
【図５】[0023]  イベント１Ａ手順を示すコールフロー図。
【図６】[0024]  イベント１Ｂ手順を示すコールフロー図。
【図７】[0025]  イベント１Ｄ手順を示すコールフロー図。
【図８】[0026]  従来型のＨＳＤＰＡまたはＤＣ−ＨＳＤＰＡネットワークにおけるデータフローを示す概略図。
【図９】[0027]  マルチフローＨＳＤＰＡネットワークの一部分を示す概略図。
【図１０】[0028]  マルチフローＨＳＤＰＡネットワークにおけるデータフローを示す概略図。
【図１１】[0029]  マルチフローＨＳＤＰＡネットワークにおいて使用するユーザ機器の一部分を示すブロック図。
【図１２】[0030]  一例による、最良の１次サービングセルおよび２次サービングセルの測定イベントであるイベント１Ｄ’に関するノード間の信号伝達の一部を示す簡略化されたコールフロー図。
【図１３】[0031]  一例による、最良の１次サービングセルおよび２次サービングセルの測定イベントであるイベント１Ｄに関するノード間の信号伝達の一部を示す簡略化されたコールフロー図。
【図１４】[0032]  一例による、最良の１次サービングセルおよび２次サービングセルの測定イベントであるイベント１Ｄに関するノード間の信号伝達の一部を示す簡略化されたコールフロー図。
【図１５】[0033]  一例による、最良の１次サービングセルおよび２次サービングセルの測定イベントであるイベント１Ｄに関するノード間の信号伝達の一部を示す簡略化されたコールフロー図。
【図１６】[0034]  一例による、最良の１次サービングセルの測定イベントであるイベント１Ｂに関するノード間の信号伝達の一部を示す簡略化されたコールフロー図。
【図１７】[0035]  一例による、最良の１次サービングセルの測定イベントであるイベント１Ｂに関するノード間の信号伝達の一部を示す簡略化されたコールフロー図。
【図１８】[0036]  マルチフローＨＳＤＰＡ通信ネットワークにおけるサービングセル変更中のデータ損失を低減するためのプロセスを示すフローチャート。
【発明を実施するための形態】
【００２０】
[0037]  添付の図面とともに以下で説明される、発明を実施するための形態は、様々な構成を説明するものであり、本明細書に記載された概念が実施され得る唯一の構成を表すものではない。発明を実施するための形態は、様々な概念を完全に理解するための具体的な詳細を含む。しかしながら、これらの概念はこれらの具体的な詳細なしに実施され得ることが当業者には明らかであろう。いくつかの例では、そのような概念を不明瞭にしないように、よく知られている構造および構成要素がブロック図の形式で示される。
【００２１】
[0038]  図１は、処理システム１１４を採用する装置１００のためのハードウェア実装形態の一例を示す概念図である。本開示の様々な態様によれば、要素、または要素の任意の部分、または要素の任意の組合せは、１つまたは複数のプロセッサ１０４を含む処理システム１１４を用いて実装され得る。プロセッサ１０４の例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲートロジック、個別ハードウェア回路、および本開示全体にわたって記載される様々な機能を実行するように構成された他の適切なハードウェアが含まれる。
【００２２】
[0039]  この例では、処理システム１１４は、バス１０２によって概略的に表されたバスアーキテクチャを用いて実装され得る。バス１０２は、処理システム１１４の特定の適用例および全体的な設計制約に応じて、任意の数の相互接続するバスとブリッジとを含むことができる。バス１０２は、（プロセッサ１０４によって概略的に表された）１つまたは複数のプロセッサと、メモリ１０５と、（コンピュータ可読媒体１０６によって概略的に表された）コンピュータ可読媒体とを含む、様々な回路を互いにリンクする。バス１０２はまた、タイミングソース、周辺機器、電圧調整器、および電源管理の回路などの様々な他の回路をリンクすることができるが、これらの回路は当技術分野においてよく知られており、したがって、これ以上記載されない。バスインターフェース１０８は、バス１０２とトランシーバ１１０との間のインターフェースを提供する。トランシーバ１１０は、伝送媒体を介して様々な他の装置と通信するための手段を提供する。装置の種類に応じて、ユーザインターフェース１１２（たとえば、キーパッド、ディスプレイ、スピーカ、マイクロフォン、ジョイスティック）も提供され得る。
【００２３】
[0040]  プロセッサ１０４は、バス１０２を管理することと、コンピュータ可読媒体１０６に記憶されたソフトウェアの実行を含む一般的な処理とを担当する。ソフトウェアは、プロセッサ１０４によって実行されたとき、処理システム１１４に、任意の特定の装置のための以下に記載される様々な機能を実行させる。コンピュータ可読媒体１０６はまた、ソフトウェアを実行するときにプロセッサ１０４によって操作されるデータを記憶するために使用され得る。
【００２４】
[0041]  処理システム内の１つまたは複数のプロセッサ１０４はソフトウェアを実行することができる。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体１０６に常駐することができる。コンピュータ可読媒体１０６は非一時的コンピュータ可読媒体であり得る。非一時的コンピュータ可読媒体には、例として、磁気記憶デバイス（たとえば、ハードディスク、フロッピー（登録商標）ディスク、磁気ストリップ）、光ディスク（たとえば、コンパクトディスク（ＣＤ）またはデジタル多用途ディスク（ＤＶＤ））、スマートカード、フラッシュメモリデバイス（たとえば、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の適切な媒体が含まれる。コンピュータ可読媒体にはまた、例として、搬送波、伝送線路、ならびにコンピュータによってアクセスされ、読み取られ得るソフトウェアおよび／または命令を伝送するための任意の他の適切な媒体が含まれ得る。コンピュータ可読媒体１０６は、処理システム１１４内に常駐するか、処理システム１１４の外部にあるか、または処理システム１１４を含む複数のエンティティにわたって分散され得る。コンピュータ可読媒体１０６はコンピュータプログラム製品の中で具現化され得る。例として、コンピュータプログラム製品は、包装材料の中にコンピュータ可読媒体を含むことができる。当業者は、特定の適用例および全体的なシステムに課せられた全体的な設計制約に応じて、本開示全体にわたって提示される記載の機能をどのようにしたら最も良く実装することができるかを認識されよう。
【００２５】
[0042]  本開示全体にわたって提示される様々な概念は、幅広い様々な電気通信システム、ネットワークアーキテクチャ、および通信規格にわたって実装され得る。次に図２を参照すると、限定しない説明のための例として、本開示の様々な態様がユニバーサルモバイル電気通信システム（ＵＭＴＳ）システム２００を参照して示される。ＵＭＴＳネットワークは、３つの対話ドメイン、コアネットワーク２０４と、無線アクセスネットワーク（ＲＡＮ）（たとえば、ＵＭＴＳ地上波無線アクセスネットワーク（ＵＴＲＡＮ））２０２と、ユーザ機器（ＵＥ）２１０とを含む。ＵＴＲＡＮ２０２に利用可能ないくつかのオプションの中で、この例では、図示されたＵＴＲＡＮ２０２は、電話、ビデオ、データ、メッセージング、ブロードキャスト、および／または他のサービスを含む様々なワイヤレスサービスを可能にするためのＷ−ＣＤＭＡエアインターフェースを採用することができる。ＵＴＲＡＮ２０２は無線ネットワークサブシステム（ＲＮＳ）２０７などの複数のＲＮＳを含むことができ、ＲＮＳの各々は無線ネットワークコントローラ（ＲＮＣ）２０６などのそれぞれのＲＮＣによって制御される。ここで、ＵＴＲＡＮ２０２は、図示されたＲＮＣ２０６とＲＮＳ２０７とに加えて、任意の数のＲＮＣ２０６とＲＮＳ２０７とを含むことができる。ＲＮＣ２０６は、とりわけ、ＲＮＳ２０７内で無線リソースを割り当て、再構成し、解放することを担当する装置である。ＲＮＣ２０６は、任意の適切なトランスポートネットワークを使用して、直接物理接続、仮想ネットワークなどの様々なタイプのインターフェースを介して、ＵＴＲＡＮ２０２内の他のＲＮＣ（図示せず）と相互接続され得る。
【００２６】
[0043]  ＲＮＳ２０７によってカバーされる地理的領域は、いくつかのセルに分割され得るし、無線トランシーバ装置が各セルをサービスする。無線トランシーバ装置は、ＵＭＴＳの適用例では普通、ノードＢと呼ばれるが、当業者によって、基地局（ＢＳ）、トランシーバ基地局（ＢＴＳ）、無線基地局、無線トランシーバ、トランシーバ機能、基本サービスセット（ＢＳＳ）、拡張サービスセット（ＥＳＳ）、アクセスポイント（ＡＰ）、または何らかの他の適切な用語で呼ばれることもある。明確にするために、３つのノードＢ２０８が各ＲＮＳ２０７内に示されているが、ＲＮＳ２０７は任意の数のワイヤレスノードＢを含むことができる。ノードＢ２０８は、任意の数のモバイル装置に、コアネットワーク２０４へのワイヤレスアクセスポイントを提供する。モバイル装置の例には、携帯電話、スマートフォン、セッション開始プロトコル（ＳＩＰ）電話、ラップトップ、ノートブック、ネットブック、スマートブック、携帯情報端末（ＰＤＡ）、衛星無線、全地球測位システム（ＧＰＳ）デバイス、マルチメディアデバイス、ビデオデバイス、デジタルオーディオプレーヤ（たとえば、ＭＰ３プレーヤ）、カメラ、ゲーム機、または任意の他の同様の機能デバイスが含まれる。モバイル装置は、ＵＭＴＳの適用例では普通、ユーザ機器（ＵＥ）と呼ばれるが、当業者によって、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の適切な用語で呼ばれることもある。ＵＭＴＳシステムでは、ＵＥ２１０は、ネットワークへのユーザの加入情報を含んでいる汎用加入者識別モジュール（ＵＳＩＭ）２１１をさらに含むことができる。説明の目的で、いくつかのノードＢ２０８と通信中の１つのＵＥ２１０が示される。順方向リンクとも呼ばれるダウンリンク（ＤＬ）は、ノードＢ２０８からＵＥ２１０への通信リンクを指し、逆方向リンクとも呼ばれるアップリンク（ＵＬ）は、ＵＥ２１０からノードＢ２０８への通信リンクを指す。
【００２７】
[0044]  コアネットワーク２０４は、ＵＴＲＡＮ２０２などの１つまたは複数のアクセスネットワークとインターフェースすることができる。図示されたように、コアネットワーク２０４はＵＭＴＳコアネットワークである。しかしながら、当業者が認識するように、本開示全体にわたって提示される様々な概念は、ＵＭＴＳネットワーク以外のタイプのコアネットワークへのアクセスをＵＥに提供するために、ＲＡＮ、または他の適切なアクセスネットワークに実装され得る。
【００２８】
[0045]  図示されたＵＭＴＳコアネットワーク２０４は、回線交換（ＣＳ）ドメインとパケット交換（ＰＳ）ドメインとを含む。回線交換要素の一部は、モバイルサービス交換センタ（ＭＳＣ）、ビジタロケーションレジスタ（ＶＬＲ）、およびゲートウェイＭＳＣ（ＧＭＳＣ）である。パケット交換要素は、サービングＧＰＲＳサポートノード（ＳＧＳＮ）と、ゲートウェイＧＰＲＳサポートノード（ＧＧＳＮ）とを含む。ＥＩＲ、ＨＬＲ、ＶＬＲ、およびＡｕＣのようないくつかのネットワーク要素は、回線交換ドメインとパケット交換ドメインの両方によって共有され得る。
【００２９】
[0046]  図示された例では、コアネットワーク２０４は、ＭＳＣ２１２とＧＭＳＣ２１４とを用いて回線交換サービスをサポートする。いくつかの適用例では、ＧＭＳＣ２１４は媒体ゲートウェイ（ＭＧＷ）と呼ばれる場合がある。ＲＮＣ２０６などの１つまたは複数のＲＮＣはＭＳＣ２１２に接続され得る。ＭＳＣ２１２は、呼設定機能と、呼ルーティング機能と、ＵＥモビリティ機能とを制御する装置である。ＭＳＣ２１２はまた、ＵＥがＭＳＣ２１２のカバレージエリア内にある間、加入者関係情報を含んでいるビジタロケーションレジスタ（ＶＬＲ）を含む。ＧＭＳＣ２１４は、ＵＥが回線交換ネットワーク２１６にアクセスするために、ＭＳＣ２１２を介したゲートウェイを提供する。ＧＭＳＣ２１４は、特定のユーザが加入したサービスの詳細を反映するデータなどの加入者データを含んでいるホームロケーションレジスタ（ＨＬＲ）２１５を含む。ＨＬＲはまた、加入者固有の認証データを含んでいる認証センタ（ＡｕＣ）に関連付けられる。特定のＵＥ向けの呼が受信されると、ＧＭＳＣ２１４はＨＬＲ２１５に問い合わせてＵＥのロケーションを決定し、そのロケーションをサービスする特定のＭＳＣに呼を転送する。
【００３０】
[0047]  図示されたコアネットワーク２０４は、サービングＧＰＲＳサポートノード（ＳＧＳＮ）２１８とゲートウェイＧＰＲＳサポートノード（ＧＧＳＮ）２２０とを用いてパケット交換データサービスもサポートする。汎用パケット無線サービス（ＧＰＲＳ）は、標準の回線交換データサービスで利用可能な速度よりも速い速度で、パケットデータサービスを提供するように設計されている。ＧＧＳＮ２２０は、パケットベースネットワーク２２２へのＵＴＲＡＮ２０２用の接続を提供する。パケットベースネットワーク２２２は、インターネット、プライベートデータネットワーク、または何らかの他の適切なパケットベースネットワークであり得る。ＧＧＳＮ２２０の主要機能は、パケットベースネットワーク接続をＵＥ２１０に提供することである。データパケットは、ＳＧＳＮ２１８を介してＧＧＳＮ２２０とＵＥ２１０との間で転送され得るし、ＳＧＳＮ２１８は、主に、ＭＳＣ２１２が回線交換ドメインで実行するのと同じ機能をパケットベースドメインで実行する。
【００３１】
[0048]  ＵＴＲＡＮエアインターフェースは、Ｗ−ＣＤＭＡ規格を利用するシステムなどの、スペクトラム拡散直接シーケンス符号分割多元接続（ＤＳ−ＣＤＭＡ）システムであり得る。スペクトラム拡散ＤＳ−ＣＤＭＡは、チップと呼ばれる擬似ランダムビットのシーケンスによる乗算によって、ユーザデータを拡散する。ＵＴＲＡＮ２０２用のＷ−ＣＤＭＡエアインターフェースは、そのようなＤＳ−ＣＤＭＡ技術に基づいており、さらに周波数分割複信（ＦＤＤ）を必要とする。ＦＤＤは、ノードＢ４０８とＵＥ２１０との間のアップリンク（ＵＬ）およびダウンリンク（ＤＬ）に対して異なる搬送周波数を使用する。ＤＳ−ＣＤＭＡを利用し、時分割複信（ＴＤＤ）を使用するＵＭＴＳ用の別のエアインターフェースは、ＴＤ−ＳＣＤＭＡエアインターフェースである。本明細書に記載された様々な例はＷ−ＣＤＭＡエアインターフェースに言及する場合があるが、基礎をなす原理はＴＤ−ＳＣＤＭＡエアインターフェースまたは他の適切なエアインターフェースに等しく適用可能であることを、当業者は認識されよう。
【００３２】
[0049]  高速パケットアクセス（ＨＳＰＡ）エアインターフェースは、ＵＥ２１０とＵＴＲＡＮ２０２との間の３Ｇ／Ｗ−ＣＤＭＡエアインターフェースに対する一連の強化を含むことができ、より大きいスループットを可能にし、ユーザの待ち時間が低減される。以前の規格の他の変更の中でも、ＨＳＰＡは、ハイブリッド自動再送要求（ＨＡＲＱ）と、共有チャネル送信と、適応変調コーディングとを利用する。ＨＳＰＡを定義する規格には、ＨＳＤＰＡ（高速ダウンリンクパケットアクセス）、およびＨＳＵＰＡ（拡張アップリンクすなわちＥＵＬとも呼ばれる、高速アップリンクパケットアクセス）が含まれる。
【００３３】
[0050]  ワイヤレス電気通信システムでは、通信プロトコルアーキテクチャは、特定の適用例に応じて様々な形態をとり得る。たとえば、３ＧＰＰ  ＵＭＴＳシステムでは、シグナリングプロトコルスタックは、非アクセス層（ＮＡＳ）とアクセス層（ＡＳ）とに分割される。ＮＡＳは、ＵＥ２１０とコアネットワーク２０４との間の信号伝達（図２参照）のために上位レイヤを提供し、回線交換プロトコルとパケット交換プロトコルとを含むことができる。ＡＳは、ＵＴＲＡＮ２０２とＵＥ２１０との間の信号伝達のために下位レイヤを提供し、ユーザプレーンと制御プレーンとを含むことができる。ここで、ユーザプレーンすなわちデータプレーンはユーザトラフィックを搬送し、制御プレーンは制御情報（すなわち、信号伝達）を搬送する。
【００３４】
[0051]  図３を参照すると、ＡＳは３つのレイヤ、レイヤ１、レイヤ２、およびレイヤ３で示される。レイヤ１は最下位レイヤであり、様々な物理レイヤ信号処理機能を実装する。レイヤ１は、本明細書では物理レイヤ３０６と呼ばれる。レイヤ２（Ｌ２レイヤ）３０８と呼ばれるデータリンクレイヤは物理レイヤ３０６の上にあり、物理レイヤ３０６を介したＵＥとノードＢとの間のリンクを担当する。
【００３５】
[0052]  レイヤ３で、ＲＲＣレイヤ３１６はＵＥとＲＮＣとの間の信号を伝達する制御プレーンを扱う。ＲＲＣレイヤ３１６は、上位レイヤのメッセージを経路選択し、ブロードキャストおよびページングの機能を扱い、無線ベアラを確立し構成する、などのためのいくつかの機能エンティティを含む。
【００３６】
[0053]  図示されたエアインターフェースでは、Ｌ２レイヤ３０８はサブレイヤに分割される。制御プレーンでは、Ｌ２レイヤ３０８は２つのサブレイヤ、媒体アクセス制御（ＭＡＣ）サブレイヤ３１０と無線リンク制御（ＲＬＣ）サブレイヤ３１２とを含む。ユーザプレーンでは、Ｌ２レイヤ３０８はパケットデータコンバージェンスプロトコル（ＰＤＣＰ）サブレイヤ３１４をさらに含む。図示されていないが、ＵＥは、ネットワーク側のＰＤＮゲートウェイにおいて終端されるネットワークレイヤ（たとえば、ＩＰレイヤ）と、接続の他端（たとえば、ファーエンドＵＥ、サーバなど）において終端されるアプリケーションレイヤとを含む、Ｌ２レイヤ３０８の上のいくつかの上位レイヤを有することができる。
【００３７】
[0054]  ＰＤＣＰサブレイヤ３１４は、様々な無線ベアラと論理チャネルとの間の多重化を提供する。ＰＤＣＰサブレイヤ３１４はまた、無線送信オーバーヘッドを低減するための上位レイヤデータパケット用のヘッダ圧縮と、データパケットを暗号化することによるセキュリティと、ノードＢの間のＵＥに対するハンドオーバサポートとを提供する。
【００３８】
[0055]  ＲＬＣサブレイヤ３１２は、確認応答モード、非確認応答モード、および透過モードのデータ転送を全般的にサポートし、上位レイヤデータパケットの分割および再構築と、損失データパケットの再送信と、データパケットの並べ替えとを提供して、ハイブリッド自動再送要求（ＨＡＲＱ）に起因する異常受信を補償する。すなわち、ＲＬＣサブレイヤ３１２は、失敗したパケットの再送信を要求し得る再送信機構を含む。ここでは、ＲＬＣサブレイヤ３１２が、一定の最大回数の再送信または送信時間切れの後、正しくデータを配信することができていない場合、上位レイヤはこの状況を通知され、ＲＬＣ  ＳＤＵは処分され得る。
【００３９】
[0056]  さらに、ＲＮＣ２０６（図２参照）におけるＲＬＣサブレイヤは、ＲＬＣプロトコルデータユニット（ＰＤＵ）のフローを管理するためのフロー制御機能を含むことができる。たとえば、ＲＮＣは、ノードＢに送るデータの量を決定することができ、データをバッチに分割することと、たとえばＤＣ−ＨＳＤＰＡシステムまたは多地点ＨＳＤＰＡシステムにおけるダウンリンクアグリゲーションの場合に複数のノードＢの間でそれらのバッチまたはパケットを分配することとを含め、その割振りの詳細を管理することができる。
【００４０】
[0057]  ＭＡＣサブレイヤ３１０は、論理チャネルとトランスポートチャネルとの間の多重化を提供する。ＭＡＣサブレイヤ３１０はまた、ＵＥの間の１つのセル内の様々な無線リソース（たとえば、リソースブロック）を割り振ること、ならびにＨＡＲＱ動作を担当する。ＭＡＣサブレイヤ３１０は、限定はしないが、ＭＡＣ−ｄエンティティおよびＭＡＣ−ｈｓ／ｅｈｓエンティティを含む様々なＭＡＣエンティティを含むことができる。
【００４１】
[0058]  ＵＴＲＡＮ２０２は、本開示に従って利用され得るＲＡＮの一例である。図４を参照すると、例として、かつ限定せずに、ＵＴＲＡＮアーキテクチャにおけるＲＡＮ４００の簡略化された概略図が示される。システムは、セル４０２と、セル４０４と、セル４０６とを含む複数のセルラー領域（セル）を含み、その各々は１つまたは複数のセクタを含むことができる。本開示では、「セル」という用語は、一般に、ＵＥとノードＢとの間の通信チャネルを指すことができ、文脈によってはセクタを含み得る。セルは、（たとえば、カバレージエリアにより）地理的に定義され得るし、かつ／または周波数、スクランブリングコードなどに従って定義され得る。すなわち、図示された地理的に定義されたセル４０２、４０４、および４０６は、たとえば、様々なスクランブリングコードを利用することによって、各々複数のセルにさらに分割され得る。たとえば、セル４０４ａは第１のスクランブリングコードを利用することができ、セル４０４ｂは、同じ地理的領域にあり同じノードＢ４４４によってサービスされるが、第２のスクランブリングコードを利用することによって区別され得る。
【００４２】
[0059]  セクタに分割されたセルでは、セル内の複数のセクタはアンテナのグループによって形成され得るし、各アンテナはセルの一部分におけるＵＥとの通信を担当する。たとえば、セル４０２では、アンテナグループ４１２、４１４、および４１６は各々異なるセクタに対応することができる。セル４０４では、アンテナグループ４１８、４２０、および４２２は各々異なるセクタに対応する。セル４０６では、アンテナグループ４２４、４２６、および４２８は各々異なるセクタに対応する。
【００４３】
[0060]  セル４０２、４０４、および４０６は、各セル４０２、４０４、または４０６のうちの１つまたは複数のセクタと通信することができる、いくつかのＵＥを含むことができる。たとえば、ＵＥ４３０および４３２はノードＢ４４２と通信することができ、ＵＥ４３４および４３６はノードＢ４４４と通信することができ、ＵＥ４３８および４４０はノードＢ４４６と通信することができる。ここで、各ノードＢ４４２、４４４、４４６は、それぞれのセル４０２、４０４、および４０６内のすべてのＵＥ４３０、４３２、４３４、４３６、４３８、４４０に、コアネットワーク２０４（図２参照）へのアクセスポイントを提供するように構成される。
【００４４】
[0061]  ソースセル４０４ａとの通話中に、または任意の他の時間に、ＵＥ４３６は、ソースセル４０４ａの様々なパラメータならびにセル４０４ｂ、４０６、および４０２などの近隣セルの様々なパラメータを監視することができる。さらに、これらのパラメータの品質に応じて、ＵＥ４３６は、近隣セルのうちの１つまたは複数とのあるレベルの通信を維持することができる。この時間中に、ＵＥ４３６は、アクティブセット、すなわち、ＵＥ４３６が同時に接続されるセルのリストを維持することができる（すなわち、ダウンリンク専用物理チャネルＤＰＣＨまたはフラクショナルダウンリンク専用物理チャネルＦ−ＤＰＣＨをＵＥ４３６に現在割り当てているＵＴＲＡセルが、アクティブセットを構成することができる）。ここで、アクティブセットにおけるセルは、ＵＥへのソフトハンドオーバ接続を形成することができる。ＵＥはさらに、ＵＥが測定し得るが、信号強度がアクティブセット中に含められるほど高くはないセルのリストを含む、近隣セットまたは監視対象セットを含むことができる。
【００４５】
[0062]  アクティブセットの管理は、ＲＮＣとＵＥとの間のいくつかの無線リソース制御（ＲＲＣ）メッセージの使用を通じて可能になり得る。たとえば、アクティブセットに含めるセルの選択は、ネットワークによってシステム情報ブロック（ＳＩＢ）に設定され得るいくつかのＵＥ測定値に依存し得る。
【００４６】
[0063]  たとえば、ＵＥは、ＵＥの監視対象セットにおける各セルによって送信されたパイロット信号（たとえば、共通パイロットチャネルＣＰＩＣＨ）の信号強度とノイズフロアとの比（Ｅc／Ｉ0）を測定することができる。すなわち、ＵＥは、近接セルのＥc／Ｉ0を判断することができ、これらの測定値に基づいてセルをランク付けすることができる。
【００４７】
[0064]  セルのランク付けが変わったとき、または任意の他の報告トリガもしくは測定イベント（以下でさらに詳細に説明する）が発生した場合、ＵＥは、このイベントを報告するためのいくつかのＲＲＣメッセージをＲＮＣに送ることができる。したがって、ＲＮＣはＵＥのアクティブセットを変更する決定を下し、アクティブセットの変更を指示するＲＲＣメッセージ（すなわち、アクティブセット更新メッセージ）をＵＥに送ることができる。次いでＲＮＣは、ＵＥとの通信用にセルを構成するためにノードＢアプリケーション部分（ＮＢＡＰ：Node B Application Part）信号伝達を利用して、たとえばＩｕｂインターフェース経由で、それぞれの１つまたは複数のノードＢと通信することができる。最後に、ＲＮＣは、物理チャネル再構成（ＰＣＲ）メッセージなどのさらなるＲＲＣメッセージを利用してＵＥと通信することができ、ＵＥからのＰＣＲ完了のＲＲＣ応答は、再構成の成功を示す。
【００４８】
[0065]  １つの報告トリガは、１次ＣＰＩＣＨがＵＥの報告範囲に入ったときに生じ得る。すなわち、特定のセルのＥc／Ｉ0が特定または所定のしきい値（たとえば、１次サービングセルのＥc／Ｉ0を一定のｄＢ数だけ下回る値）に達し、そのレベルを一定時間にわたり維持して、アクティブセットにセルを追加するのが適切であり得るとき、イベント１Ａと呼ばれる報告イベントが発生し得る。図５は、イベント１Ａに関するノード間の信号伝達の一部を示す簡略化されたコールフロー図である。このコールフロー図および後続のコールフロー図では、時間は全般的に、図の上から下に進むが、多くの場合、図示された信号シーケンスは、唯一の可能なシーケンスであることが意図されておらず、本開示の様々な態様に従って他のシーケンスが利用されてよい。さらに、コールフロー図の右辺のシーケンス番号は、説明を容易にするために付されているにすぎず、各時間番号は、瞬間から数秒までの任意の合理的な時間間隔を表し得る。
【００４９】
[0066]  図示の例では、時間（１）においてＵＥ５０２は、セル２の測定値がしきい値を超え、報告範囲に入ったと判断しており、したがって、ＵＥ５０２は、イベント１Ａを含み、セル２、５０６を識別するＲＲＣ測定報告メッセージを送信することができる。応答して、時間（２）においてＲＮＣ５０８は、ＵＥ５０２との無線リンクをセットアップするために、ＮＢＡＰ信号伝達を利用してＩｕｂインターフェース経由でセル２、５０６と通信することができる。時間（３）においてＲＮＣ５０８は、セル２、５０６をＵＥ５０２のアクティブセットに追加することを指示するＲＲＣアクティブセット更新メッセージをＵＥ５０２に送ることができる。ＵＥ５０２は時間（４）において、アクティブセット更新を完了させて、ＲＮＣ５０８にＲＲＣアクティブセット更新完了メッセージで応答することができる。
【００５０】
[0067]  別の報告トリガは、１次ＣＰＩＣＨが報告範囲から出たときに生じ得る。すなわち、特定のセルのＥc／Ｉ0が特定または所定のしきい値（たとえば、１次サービングセルのＥc／Ｉ0を一定のｄＢ数だけ下回る値）を下回り、そのレベルを一定時間にわたり維持して、アクティブセットからセルを除去するのが適切であり得るとき、イベント１Ｂと呼ばれる報告イベントが発生し得る。図６は、イベント１Ｂに関するノード間の信号伝達の一部を示す簡略化されたコールフロー図である。図示の例では、時間（１）においてＵＥ５０２は、セル２、５０６が報告範囲から出たと判断している。したがって、ＵＥ５０２は、イベント１Ｂを含み、セル２  ５０６を識別するＲＲＣ測定報告メッセージを送信することができる。応答して、時間（２）においてＲＮＣ５０８は、セル２  ５０６をアクティブセットから除去することを指示するＲＲＣアクティブセット更新メッセージをＵＥ５０２に送信することができる。次いで時間（３）において、ＵＥ５０２はＲＮＣ５０８に対し、アクティブセットが更新されたことを示すＲＲＣアクティブセット更新完了メッセージで応答することができる。次いで時間（４）において、ＲＮＣ５０８は、セル２  ５０６とＵＥ５０２との間の無線リンクを削除するために、ＮＢＡＰ信号伝達をＩｕｂインターフェース経由でセル２  ５０６に送信することができる。
【００５１】
[0068]  アクティブセットが満杯であり、アクティブセットの外にある候補セルの１次ＣＰＩＣＨがアクティブセット中の最弱のセルの１次ＣＰＩＣＨを上回って、アクティブセット中の最弱のセルを候補セルに置き換えるのが適切であり得るときに、別の報告トリガが生じ得る。ここでは、イベント１Ｃと呼ばれる報告イベントが発生し、無線リンクの追加と除去との組合せを引き起こし得る。イベント１Ｃは、実質的にイベント１Ａとイベント１Ｂとの組合せであり、当業者に知られているので、本明細書には詳細な説明は含まれない。
【００５２】
[0069]  ３ＧＰＰ規格ファミリーのリリース５では、高速ダウンリンクパケットアクセス（ＨＳＤＰＡ）が導入された。ＨＳＤＰＡは、いくつかのＵＥによって共有され得る高速ダウンリンク共有チャネル（ＨＳ−ＤＳＣＨ）を、そのトランスポートチャネルとして利用する。ＨＳ−ＤＳＣＨは、３つの物理チャネルである、高速物理ダウンリンク共有チャネル（ＨＳ−ＰＤＳＣＨ）、高速共有制御チャネル（ＨＳ−ＳＣＣＨ）、および高速専用物理制御チャネル（ＨＳ−ＤＰＣＣＨ）によって実装される。
【００５３】
[0070]  ＨＳ−ＤＳＣＨは１つまたは複数のＨＳ−ＳＣＣＨに関連付けられ得る。ＨＳ−ＳＣＣＨは、ＨＳ−ＤＳＣＨの伝送に関するダウンリンク制御情報を搬送するために利用され得る物理チャネルである。ＵＥはＨＳ−ＳＣＣＨを連続的に監視して、そのデータをいつＨＳ−ＤＳＣＨから読み込むかを決定し、割り当てられた物理チャネルで使用される変調方式を決定する。
【００５４】
[0071]  ＨＳ−ＰＤＳＣＨは、いくつかのＵＥによって共有され得る物理チャネルである。ＨＳ−ＰＤＳＣＨは、４位相シフトキーイング（ＱＰＳＫ）と、１６直交振幅変調（１６−ＱＡＭ）と、多重符号伝送とをサポートすることができる。
【００５５】
[0072]  ＨＳ−ＤＰＣＣＨは、ＵＥからのフィードバックを搬送して、そのスケジューリングアルゴリズムにおいてノードＢを支援することができるアップリンク物理チャネルである。フィードバックは、チャネル品質インジケータ（ＣＱＩ）と、前のＨＳ−ＤＳＣＨ伝送の肯定応答または否定応答（ＡＣＫ／ＮＡＫ）とを含むことができる。
【００５６】
[0073]  ＨＳＤＰＡと以前に規格化された回線交換エアインターフェースとの間のダウンリンク上の１つの差異は、ＨＳＤＰＡ内にソフトハンドオーバがないことである。このことは、ＨＳＤＰＡチャネルがＨＳＤＰＡサービングセルと呼ばれる単一のセルからＵＥに送信されることを意味する。ユーザが移動するにつれて、または１つのセルが別のユーザに好ましくなるにつれて、ＨＳＤＰＡサービングセルは変化する場合がある。それでも、ＵＥは関連付けられたＤＰＣＨ上のソフトハンドオーバ内にいることができ、複数のセルから同じ情報を受信する。
【００５７】
[0074]  Ｒｅｌ．５のＨＳＤＰＡでは、任意のインスタンスで、ＵＥは、Ｅc／Ｉ0のＵＥ測定値によるアクティブセット内の最強のセルである１つのサービングセルを有する。３ＧＰＰ  ＴＳ２５．３３１のＲｅｌ．５で規定されたモビリティ手順によれば、ＨＳＰＤＡサービングセルを変更するための無線リソース制御（ＲＲＣ）信号伝達メッセージは、現在のＨＳＤＰＡサービングセル（すなわち、ソースセル）から送信され、そのセルはＵＥがより強いセル（すなわち、ターゲットセル）になると報告するセルではない。
【００５８】
[0075]  すなわち、ＨＳＤＰＡに関する上述したイベント１Ａおよびイベント１Ｂに対処する報告トリガに加えて、近隣セル（アクティブセット内にある場合もない場合もある）が、Ｅc／Ｉ0のＵＥ測定値によるサービングＨＳ−ＤＳＣＨセルの品質を上回るときに、別の報告トリガが生じ得る。この場合、サービングＨＳ−ＤＳＣＨセルを再選択するのが適切であり得る。図７は、最良のサービングＨＳ−ＤＳＣＨセルの測定イベントであるイベント１Ｄに関するノード間の信号伝達の一部を示す簡略化されたコールフロー図である。図示の例では、時間（１）においてセル１  ５０４は、サービングＨＳ−ＤＳＣＨセルとして始まる。時間（２）においてＵＥ５０２は、セル２、５０６がそのＣＰＩＣＨ  Ｅc／Ｉ0の点でセル１、５０４を上回ると判断し得る。したがって、ＵＥ５０２は、イベント１Ｄを含み、セル２  ５０６を識別するＲＲＣ測定報告メッセージを送信することができる。応答して、時間（３）においてＲＮＣ５０８は、ＵＥ５０２との無線リンクをセットアップするために、ＮＢＡＰ信号伝達を利用してＩｕｂインターフェース経由でセル２
５０６に信号伝達を送信することができる。時間（４）においてＲＮＣ５０８は、セル２、５０６が新しいサービングＨＳ−ＤＳＣＨセルになるようなサービングセル変更を指示するＲＲＣトランスポートチャネル再構成要求をＵＥ５０２に送ることができる。次いでＵＥ５０２は時間（５）において、ＲＮＣ５０８にＲＲＣトランスポートチャネル再構成完了メッセージで応答することができる。時間（６）においてＲＮＣは、セル１  ５０４における無線リンクセットアップを削除するために、ＮＢＡＰ信号伝達を利用することができる。こうして、時間（７）において、ＨＳＤＰＡサービスが新しいサービングＨＳ−ＤＳＣＨセル、すなわちセル２、５０６で始まり得る。
【００５９】
[0076]  周波数間ハンドオーバにはいくつかの差異が存在し得るが、当業者に知られているように、それらは概ね本開示の範囲外であるので、本明細書では説明しない。
【００６０】
[0077]  図８は、それぞれのノードにおけるサブレイヤの一部を示す、ノードＢ８０４を通過するＲＮＣ８０２とＵＥ８０６との間のＨＳＤＰＡネットワークにおけるダウンリンク経路の概略図である。ここでは、ＲＮＣ８０２は、図２に示されているＲＮＣ２０６と同じであってよく、ノードＢ８０４は、図２に示されているノードＢ２０８と同じであってよく、ＵＥ８０６は、図２に示されているＵＥ２１０と同じであってよい。ＲＮＣ８０２は、たとえばＲＬＣサブレイヤを含むＭＡＣ−ｄ以上のプロトコルレイヤを格納する。高速チャネルのために、ＭＡＣ−ｈｓ／ｅｈｓレイヤがノードＢ８０４に格納される。さらに、ノードＢ８０４のＰＨＹレイヤは、たとえばＨＳ−ＤＳＣＨを介してＵＥ８０６のＰＨＹレイヤと通信するためのエアインターフェースを提供する。
【００６１】
[0078]  ＵＥ８０６の側から、ＭＡＣ−ｄエンティティは、すべての専用トランスポートチャネル、ＭＡＣ−ｃ／ｓｈ／ｍエンティティ、およびＭＡＣ−ｈｓ／ｅｈｓエンティティへのアクセスを制御するように構成される。さらに、ＵＥ８０６の側から、ＭＡＣ−ｈｓ／ｅｈｓエンティティは、ＨＳＤＰＡ固有機能を扱い、ＨＳ−ＤＳＣＨトランスポートチャネルへのアクセスを制御するように構成される。上位レイヤは、２つのエンティティ、ＭＡＣ−ｈｓまたはＭＡＣ−ｅｈｓのいずれがＨＳ−ＤＳＣＨ機能を扱うために適用されるかを設定する。
【００６２】
[0079]  ３ＧＰＰ規格のリリース８は、デュアルセルＨＳＤＰＡ（ＤＣ−ＨＳＤＰＡ）を導入しており、これは、隣接するデュアル５ＭＨｚダウンリンクキャリアをＵＥがアグリゲートすることを可能にする。デュアルキャリア手法は、マルチキャリア場所において、ダウンリンクデータレートを引き上げ、効率性を改善する。概して、ＤＣ−ＨＳＤＰＡは１次（アンカー）キャリアと２次キャリアとを利用し、１次キャリアは、ダウンリンクデータ送信用のチャネルとアップリンクデータ送信用のチャネルとを提供し、２次キャリアは、ダウンリンク通信用のＨＳ−ＰＤＳＣＨおよびＨＳ−ＳＣＣＨの第２のセットを提供する。
【００６３】
[0080]  ＤＣ−ＨＳＤＰＡでは、ダウンリンクキャリアは一般に同じセルによって提供され、モビリティは１次キャリアに基づく。したがって、そのモビリティ手順は概ね、単一キャリアＨＳＤＰＡに利用されるモビリティ手順と同じである。ただし、すべてのセルがＤＣ−ＨＳＤＰＡをサポートし得るとは限らないので、ターゲットセルへのハンドオーバの後、単一キャリアを使用するのか、それともデュアルキャリアを使用するのかを示す追加情報がＲＲＣハンドオーバメッセージングに含まれ得る。ここで、ＤＣ−ＨＳＤＰＡ対応ノードＢへのハンドオーバに関するＲＲＣメッセージにおける情報要素（ＩＥ）は、ターゲットセルにおける２次キャリアの周波数またはキャリアに関する情報を含むことができる。
【００６４】
[0081]  本開示のいくつかの態様によれば、ソフトアグリゲーションと呼ばれ得る別の形態のキャリアアグリゲーションが、ダウンリンクキャリアアグリゲーションをもたらし、この場合、それぞれのダウンリンクキャリアは、同じ周波数キャリアを利用する。ソフトアグリゲーションは、単一キャリアネットワークにおけるＤＣ−ＨＳＤＰＡに対する同様の利得を実現しようとする。
【００６５】
[0082]  図９は、本開示のいくつかの態様による、ソフトアグリゲーションのための例示的なシステムを示している。図９では、２つ以上のセル９１４および９１６の間に地理的重複があることがあり、それによりＵＥ９１０は少なくとも一定の時間期間にわたり複数のセルによってサービスされ得る。したがって、本開示によるワイヤレス電気通信システムは、単一の周波数チャネルで複数のセルからＨＳＤＰＡサービスを提供することができ、それによりＵＥは、アグリゲーションを実行することができる。ここでは、ＵＥは、１次サービングセルおよび少なくとも１つの２次サービングセルからのダウンリンクをアグリゲートすることができる。たとえば、２つ以上のセルを利用するセットアップは、マルチフローＨＳＤＰＡ（ＭＦ−ＨＳＤＰＡ）、多地点協調ＨＳＤＰＡ（ＣｏＭＰ  ＨＳＤＰＡ）、または単に多地点ＨＳＤＰＡと呼ばれ得る。各セルが同じ周波数キャリアでＨＳＤＰＡデータを提供する２つのセルを利用する１つの特定の構成は、単一周波数デュアルセルＨＳＤＰＡ（ＳＦ−ＤＣ−ＨＳＤＰＡ）と呼ばれることがある。ただし、他の専門用語も自由に利用され得る。このようにして、セル境界にいるユーザ、ならびにシステム全体は、高スループットから恩恵を受けることができる。様々な例では、異なるセルが同じノードＢによって提供されることがあり、または異なるセルが不同のノードＢによって提供されることがある。すなわち、セルは、１つまたは複数の異なるノードＢおよび１つまたは複数の異なる周波数／キャリアからのものであり得る。
【００６６】
[0083]  図９に示されている方式では、２つのノードＢ９０２および９０４の各々は、それぞれダウンリンクセル９０６および９０８を提供し、この場合、これらのダウンリンクセルは実質的に同じキャリア周波数にある。もちろん、すでに説明したように、別の例では、ダウンリンクセル９０６とダウンリンクセル９０８の両方が、同じノードＢの異なるセクタから提供されることがある。ＵＥ９１０は、ダウンリンクセルを受信してアグリゲートし、アップリンクチャネル９１２を提供し、アップリンクチャネル９１２は、ノードＢ９０２および９０４の一方または両方によって受信され得る。ＵＥ９１０からのアップリンクチャネル９１２は、フィードバック情報、たとえば、対応するダウンリンクセル９０６および９０８に関するダウンリンクチャネル状態に対応するフィードバック情報を提供することができる。
【００６７】
[0084]  図８に関して上述した従来型のＨＳＤＰＡ対応ＵＥ８０６と比較して、ＤＣ−ＨＳＤＰＡ対応ＵＥは、２つの受信チェーンを有し、各受信チェーンは、異なるキャリアからＨＳデータを受信するために使用され得る。マルチフローＨＳＤＰＡ対応ＵＥでは、複数の受信チェーンに異なるセルからＨＳデータを受信させる場合、単一キャリアネットワークにおいてアグリゲーションからの恩恵の少なくとも一部は実現され得る。
【００６８】
[0085]  本開示のいくつかの態様では、アグリゲートされるセルは、ＵＥのアクティブセット内のセルに制限され得る。これらのセルは、ダウンリンクチャネル品質に従って判定された、アクティブセット内の最強のセルであり得る。最強のセルが異なるノードＢ場所に存在する場合、この方式は「ソフトアグリゲーション」と呼ばれ得る。アグリゲートされる最強のセルが同じノードＢ場所に存在する場合、この方式は「よりソフトなアグリゲーション」と呼ばれ得る。
【００６９】
[0086]  よりソフトなアグリゲーションは、評価し実施するのが比較的単純である。しかしながら、よりソフトなハンドオーバ内のＵＥの割合は限られていることがあるので、よりソフトなアグリゲーションからの利得も相応して限られていることがある。よりソフトなアグリゲーションと比較して、ソフトアグリゲーションは、より大きい恩恵をもたらす可能性を有する。ただし、アップリンクオーバーヘッドチャネルパフォーマンスおよび異常配信に関係する様々な懸念事項がある。
【００７０】
[0087]  両方のセルが単一のノードＢによって提供される従来型のＤＣ−ＨＳＤＰＡまたはマルチフローＨＳＤＰＡシステム（すなわち、よりソフトなアグリゲーション）では、２つのセルは、図８に示されている従来型のＨＳＤＰＡシステムとほぼ同じ方法で同じＭＡＣ−ｅｈｓエンティティを共有することができる。その構成では、ダウンリンクデータは単一のノードＢ場所からＵＥ８０６に来るので、ＵＥ８０６におけるＲＬＣエンティティは一般に、パケットがそれぞれのＲＬＣシーケンス番号に従って順番に送られると想定し得る。したがって、受信されたパケットのシーケンス番号にギャップがあれば、それはパケット障害によって引き起こされたと理解されてよく、ＲＮＣにおけるＲＬＣエンティティは単に、欠落したシーケンス番号に対応するすべてのパケットを再送信し得る。
【００７１】
[0088]  本開示の一態様では、図１０に示されるように、ＲＮＣ１００２が、複数のノードＢ１００４および１００６にパケットを提供するマルチリンクＲＬＣサブレイヤを含むことができ、各ノードＢは、ＵＥ１００８にダウンリンクＨＳ送信を提供する。したがって、ＵＥはダウンリンクアグリゲーション、たとえばマルチフローＨＳＤＰＡに対応可能であり得る。ここで、ＵＥ１００８は複数のＭＡＣエンティティを含むことができ、複数のＭＡＣエンティティの各々は、対応するノードＢ場所からの異なるサービングセル（たとえば、１次サービングセルおよび２次サービングセル）に対応する。たとえば、ＵＥ１００８における１つのＭＡＣエンティティは、１次サービングセルを提供する第１のノードＢ１００４に対応することができ、ＵＥ１００８における第２のＭＡＣエンティティは、２次サービングセルを提供する第２のノードＢ１００６に対応することができる。もちろん、様々な理由で、特定のノードＢと特定のＭＡＣエンティティのペアリングは時間の経過とともに変わることがあり、図は１つの可能な例にすぎない。
【００７２】
[0089]  したがって、ＲＮＣ１００２はマルチリンクＲＬＣサブレイヤを含むことができ、この場合、フロー制御アルゴリズムが、たとえばＩｕｂインターフェース経由で、複数のＲＬＣリンクを利用して複数のセルの間で（たとえば、ノードＢ１００４および１００６において）ＵＥ１００８のためのパケットを割り振る。
【００７３】
[0090]  図１１は、本開示のいくつかの態様による、マルチフローＨＳＤＰＡネットワークにおいて使用する例示的なＵＥ１１１０の構成要素のいくつかを示す簡略化されたブロック図である。図では、ＵＥ１１１０は、ＳＦ−ＤＣ  ＨＳＤＰＡネットワークまたはＤＦ−ＤＣ  ＨＳＤＰＡネットワークの場合のように、それぞれのダウンリンク信号を受信するための２つの受信アンテナを含む。ただし、本開示の範囲内でＵＥ１１１０は、同じキャリア周波数で、または任意の適切な数の異なるキャリア周波数で、ダウンリンク信号を受信するための任意の数のアンテナを含むことができる。さらに、図示されたＵＥ１１１０は、単一帯域ネットワークの例を示している。ＵＥが２つ以上の帯域の各々で少なくとも１つのキャリアを受信するように構成されたマルチキャリアネットワークでは、ＵＥは、当業者に知られているように、ダイプレクサなどのブロックをさらに含むことになる。
【００７４】
[0091]  アンテナの各々に結合されるのは、それぞれのＲＦフロントエンド１１０２、１１０４であり得る。ＲＦフロントエンドは、ＲＦダウンコンバージョン、ローパスフィルタ処理などのような機能ブロックを含むことができる。次いでＲＦフロントエンドは、アナログデジタル変換器１１０６および１１０８に向かい（feed into）、アナログデジタル変換器１１０６および１１０８は、受信されたダウンリンクチャネルを、ベースバンドユニットまたはＢＢＵ１１１０によってさらに処理されるようにデジタル領域に変換することができる。ＢＢＵ１１１０は、キャリア／アンテナ分離、ベースバンド検出器およびベースバンド復号器のような機能ブロックを含むことができ、これらの機能ブロックは、受信されたトランスポートブロックを、受信された情報に従ってさらに処理されるようにプロセッサ１１１２に提供するように構成される。いくつかの例では、プロセッサ１１１２は、図１に示されている処理システム１１４と同じであり得る。プロセッサ１１１２はさらに、１つまたは複数の送信機１１１４に結合されてよく、送信機１１１４は、適切なデュプレクサによる管理に従ってＵＥのアンテナのうちの１つまたは複数を利用することができる。プロセッサ１１１２はさらに、情報の処理に有益な情報を記憶するためのメモリ１１１８を利用することができる。
【００７５】
[0092]  図９に示されているようなマルチフローＨＳＤＰＡシステムのモビリティは、ＨＳＤＰＡまたはＤＣ−ＨＳＤＰＡシステムのモビリティよりも幾分複雑であることがあり、その理由は、ＨＳＤＰＡまたはＤＣ−ＨＳＤＰＡシステムが一般に、単一のノードＢ場所からそれぞれのＨＳダウンリンクチャネルを提供するのに対して、マルチフローＨＳＤＰＡの場合、複数のノードＢ場所とのアクティブリンクがあり得ることにある。
【００７６】
[0093]  上述したように、従来型のＨＳＤＰＡまたはＤＣ−ＨＳＤＰＡネットワークでは、ＵＥは、単一のサービングセル（サービングＨＳ−ＤＳＣＨセルと呼ばれる）によって高速ダウンリンクを提供される。ハンドオーバまたはサービングセル変更の前、サービングＨＳ−ＤＳＣＨセルはソースセルと呼ばれ得る。サービングセル変更の後、サービングＨＳ−ＤＳＣＨセルが（たとえば、イベント１Ｄを通じて）ターゲットセルと呼ばれ得る別のセルに置き換えられたとき、ネットワークとＵＥの両方は一般に、フローに対応するバッファされたデータすべてをフラッシュする。たとえば、ＭＡＣレイヤにおけるＨＡＲＱバッファ内のデータがフラッシュされ得る。これはデータ損失につながり、一般に、上位レイヤ（たとえば、ＲＬＣまたはＴＣＰ）による損失データの追加の再送信を生じさせる。
【００７７】
[0094]  同様に、従来型のノードＢ間ＳＦ−ＤＣ  ＨＳＤＰＡでは、アンカー切替えが発生したとき（たとえば、１次サービングセルと２次サービングセルとが交換されたとき）、ネットワーク側およびＵＥ側のＨＡＲＱバッファがフラッシュされて、ＲＬＣ／ＴＣＰ再送信につながることがある。
【００７８】
[0095]  したがって、本開示の様々な態様は、サービングセル変更手順中の上述のデータ損失を低減または解消することが可能な、ダウンリンクキャリアアグリゲーション用に構成されたワイヤレス通信ネットワーク、たとえば、マルチフローＨＳＤＰＡネットワークにおいて動作可能なサービングセル手順を提供する。
【００７９】
[0096]  たとえば、本開示のいくつかの態様では、マルチフローＨＳＤＰＡネットワークにおいてアンカー切替えが発生したとき、ネットワークおよびＵＥはＨＡＲＱバッファ内のデータを維持することができる。これは、上述のようにこのデータが一般にフラッシュされる従来型ネットワークとは対照的である。本開示のさらなる態様では、バッファされたデータパケットについて、ＨＡＲＱ  ＩＤおよびＴＳＮは同じままとなる。
【００８０】
[0097]  このようにして、バッファされたデータを維持することによって、ＨＡＲＱバッファ内のすべてのデータが、アンカー切替え後、新しいサービングセルからＵＥに送信され得る。したがって、サービングセル変更に関連するデータ損失が低減または解消され得る。
【００８１】
[0098]  上述のアンカー切替えシナリオに関係する本開示の別の態様では、アンカー切替え時にそれぞれのバッファ内のデータを維持するのではなく、ソースセルおよびターゲットセルのそれぞれのバッファ内のデータが交換され得る。すなわち、ソースセルでバッファされたデータがターゲットセルに送信されてよく、ターゲットセルでバッファされたデータがソースセルに送信されてよい。図示の例として、図９を参照すると、ソースノードＢ９０２はそのバッファされたデータをＩｕｂインターフェース９２０経由でＲＮＣ９１８に送信することができ、ＲＮＣ９１８は相応してその情報をＩｕｂインターフェース９２２経由でターゲットノードＢ９０４に転送することができる。さらに、ターゲットノードＢ９０４はそのバッファされたデータをＩｕｂインターフェース９２２経由でＲＮＣ９１８に送信することができ、ＲＮＣ９１８は相応してその情報をＩｕｂインターフェース９２０経由でソースノードＢ９０２に転送することができる。このようにして、アンカー切替えの後、ノードＢ９０２および９０４は相応して、アンカーキャリアおよび２次キャリアに対応するフローを維持する形でデータをＵＥ９１０に送信することができる。
【００８２】
[0099]  本開示のさらなる態様では、上記のプロセスは、ダウンリンクキャリアアグリゲーション用に構成されたネットワーク、たとえばマルチフローＨＳＤＰＡネットワークにおける他のモビリティイベントに適用されるように一般化され得る。たとえば、サービングセル変更について、サービングセル変更後もノードＢがサービングＨＳ−ＤＳＣＨセルとしてとどまる場合に、ノードＢおよびＵＥでバッファされたデータがフラッシュされるのではなく維持され得るパラダイムが確立され得る。一方、サービングセル変更手順の過程でサービングＨＳ−ＤＳＣＨセルとしてノードＢが除去される場合、バッファされたデータはフラッシュされ得る。別の例では、バッファされたデータは、たとえばバックホール接続を利用して、別のノードＢに転送されてよく、この場合、バッファされたデータの転送先となるノードＢは、サービングセル変更後にサービングＨＳ−ＤＳＣＨセルとして機能する。
【００８３】
[00100]  そのようなパラダイムは、１次サービングＨＳ−ＤＳＣＨセルもしくは２次サービングＨＳ−ＤＳＣＨセルをサービングセルセットから除去するとき、または１次サービングＨＳ−ＤＳＣＨセルもしくは２次サービングＨＳ−ＤＳＣＨセルをサービングセルセットに追加するときには当てはまり得る。もちろん、様々な例では、ＵＥおよびネットワークの能力に従って、任意の１つまたは複数のキャリア周波数でＵＥにダウンリンクキャリアを提供する、任意の数のサービングＨＳ−ＤＳＣＨセルがあり得る。
【００８４】
[00101]  下の表１は、例示的なＳＦ−ＤＣ  ＨＳＤＰＡネットワークのモビリティイベントのセットを示しており、２つのダウンリンクキャリアが、同じキャリア周波数を利用して、２つの不同のノードＢによって任意の所与の時間に提供される。ただし、これは例にすぎず、サービングセルは、１つまたは複数の異なるノードＢおよび１つまたは複数の異なる周波数／キャリアからのものであり得る。
【００８５】
[00102]  表では、３つの異なるノードＢがそれぞれＸ、Ｙ、およびＺとして指定されている。左側の列では、モビリティイベントまたはサービングセル変更の前、ＸおよびＹと標示されたノードＢがサービングセルとして活動することが示されている。これらの列のすぐ右には、モビリティイベントまたはサービングセル変更の後、どのノードＢがサービングセルとして活動するかが示されている。最後に、表の右には、フラッシュされたフローに対応する１つまたは複数のバッファを有するノードＢを表すセル指示子が示されている。上述のように、あるノードＢが、サービングセル変更前にサービングセルとして活動し、サービングセル変更後もサービングセルとして活動する場合、そのバッファ、たとえばＨＡＲＱバッファは、フラッシュされない。
【表１】
2018033141.tif 000003
【００８６】
２次セルの変更（イベント１Ｄ’）
[00103]  図１２は、一例による、最良の１次サービングセルおよび２次サービングセルの測定イベントであるイベント１Ｄ’に関するノード間の信号伝達の一部を示す簡略化されたコールフロー図である。上記で説明したように、サービングセルは、１つまたは複数の異なるノードＢおよび１つまたは複数の異なる周波数／キャリアからのものであり得る。
【００８７】
[00104]  図示の例では、時間（１）において、セル１  １２０４は第１のサービングセルまたは１次サービングセルとして始まり、セル２  １２０６は第２のサービングセルまたは２次サービングセルとして始まる。セル３  １２０８は、ＵＥがそのセル品質を監視し測定することができる近隣セルである。近隣セルは、アクティブセット内にある場合もない場合もある。時間（２）においてＵＥ１２０２は、セル３  １２０８がそのセル品質（またはＣＰＩＣＨ  Ｅc／Ｉ0）の点でセル２  １２０６を上回るが、そのセル品質の点でセル１  １２０２を上回っていないと判断し得る。したがって、ＵＥ１２０２は、イベント１Ｄ’を含み、セル３、１２０８を識別するＲＲＣ測定報告メッセージを送信することができる。応答して、時間（３）においてＲＮＣ１２１０は、ＲＲＣ測定報告メッセージを評価し、ＵＥ１２０２との無線リンクをセットアップするために、ＮＢＡＰ信号伝達を利用してＩｕｂインターフェース経由でセル３  １２０８に信号伝達を送信することができる。次いで時間（４）において、ＲＮＣ１２１０は、セル２  １２０６とＵＥ１２０２との間の無線リンクを削除し、フローに対応するセル２  １２０６内の待ち行列にバッファされたデータすべてをフラッシュするために、ＮＢＡＰ信号伝達をＩｕｂインターフェース経由でセル２  １２０６に送信することができる。時間（５）においてＲＮＣ１２１０は、セル３  １２０８が新しい２次サービングセルになる一方でセル１  １２０４が１次サービングセルとしてとどまるようなサービングセル変更を指示するＲＲＣトランスポートチャネル再構成要求をＵＥ１２０２に送ることができる。次いでＵＥ１２０２は時間（６）において、ＲＮＣ１２１０にＲＲＣトランスポートチャネル再構成完了メッセージで応答することができる。こうして、時間（７）においてＨＳＤＰＡサービスが、新しい２次サービングセルとしてのセル３  １２０８で始まり得る。
【００８８】
[00105]  言い換えれば、モビリティイベント１Ｄ’が発生したとき、セル１  １２０４（１次サービングセルまたは上の表１のセルＸである）は、アクティブセット内で最強のセルであるので、１次サービングセルとして機能し続け、セル３  １２０８（近隣サービングセルまたは上の表１のセルＺである）は、セル２  １２０６（元の２次セルまたは上の表１のセルＹ）よりも強いサービングセルであるが、元の１次サービングセル、セル１  １２０４よりも弱いので、新しい２次サービングセルである。セル３  １２０８はセル２  １２０６よりも強いセルであるので、セル３  １２０８は２次サービングセルとしてセル２  １２０６に取って代わることができる。セル１  １２０４は、２次サービングセル変更後も１次サービングセルとしてとどまるので、セル１  １２０４およびＵＥでバッファされたデータは、フラッシュされるのではなく維持され得る。セル２  １２０６は、第２のサービングセルとしてセル３  １２０８に取って代わられており、もはやサービングセルとして活動していないので、セル２  １２０６に記憶されているバッファされたデータはフラッシュされる。
【００８９】
１次セルの変更（イベント１Ｄ）−第１の例
[00106]  図１３は、一例による、最良の１次サービングセルおよび２次サービングセルの測定イベントであるイベント１Ｄに関するノード間の信号伝達の一部を示す簡略化されたコールフロー図である。上記で説明したように、サービングセルは、１つまたは複数の異なるノードＢおよび１つまたは複数の異なる周波数／キャリアからのものであり得る。
【００９０】
[00107]  図示の例では、時間（１）において、セル１  １３０４は１次サービングセルとして始まり、セル２  １３０６は２次サービングセルとして始まる。セル３  １３０８は、ＵＥがそのセル品質を監視し測定することができる近隣セルである。近隣セルは、アクティブセット内にある場合もない場合もある。時間（２）においてＵＥ１３０２は、セル３  １３０８がそのセル品質（またはＣＰＩＣＨ  Ｅc／Ｉ0）の点でセル１  １３０４とセル２  １３０６とを上回る一方で、セル１  １３０４が依然としてセル２  １３０６のセル品質を上回ると判断し得る。したがって、ＵＥ  １３０２は、イベント１Ｄを含み、セル３  １３０８のセル品質がセル１  １３０４およびセル２  １３０６のセル品質を上回る一方で、セル１  １３０４のセル品質が依然としてセル２  １３０６のセル品質を上回ることを識別するＲＲＣ測定報告メッセージを送信することができる。応答して、時間（３）においてＲＮＣ１３１０は、ＲＲＣ測定報告メッセージを評価し、ＵＥ１３０２との無線リンクをセットアップするために、ＮＢＡＰ信号伝達を利用してＩｕｂインターフェース経由でセル３  １３０８に信号伝達を送信することができる。次いで時間（４）において、ＲＮＣ１３１０は、セル２  １３０６とＵＥ１３０２との間の無線リンクを削除し、フローに対応するセル２  １３０６にバッファされたデータすべてをフラッシュするために、ＮＢＡＰ信号伝達をＩｕｂインターフェース経由でセル２  １３０６に送信することができる。時間（５）においてＲＮＣ１３１０は、セル３  １３０８が新しい１次サービングセルになる一方でセル１  １３０４が新しい２次サービングセルになるようなサービングセル変更を指示するＲＲＣトランスポートチャネル再構成要求をＵＥ１３０２に送ることができる。次いでＵＥ１３０２は時間（６）において、ＲＮＣ１３１０にＲＲＣトランスポートチャネル再構成完了メッセージで応答することができる。こうして、時間（７）においてＨＳＤＰＡサービスが、新しい１次サービングセルとしてのセル３  １３０８および新しい２次サービングセルとしてのセル１  １３０４で始まり得る。セル１  １３０４は、サービングセルとしてとどまる間、セル１  １３０４およびＵＥでバッファされたデータは、維持され得る、すなわちフラッシュされ得ない。
【００９１】
[00108]  言い換えれば、モビリティイベント１Ｄが発生したとき、セル１  １３０４（１次サービングセルまたは上の表１のセルＸである）とセル２  １３０６（元の２次セルまたは上の表１のセルＹ）とが置き換えられる。セル１  １３０４は、セル３  １３０８（近隣サービングセルまたは上の表１のセルＺである）に取って代わられ、今では２番目に強いセルであるセル１  １３０４は、新しい２次サービングセルとなり、セル２  １３０６に取って代わる。すなわち、セル３  １３０８が、セル１  １３０４に取って代わる新しい１次サービングセルとなる一方で、セル１  １３０４が、セル２  １３０６に取って代わる新しい２次サービングセルとなる。セル１  １３０４は２次サービングセルとして機能しているので、セル１  １３０４およびＵＥでバッファされたデータはフラッシュされるのではなく維持されてよく、セル２  １３０６は第２のサービングセルとしてセル１  １３０４に取って代わられ、もはやサービングセルとして活動していないので、セル２  １３０６に記憶されているバッファされたデータはフラッシュされる。
【００９２】
１次セルの変更（イベント１Ｄ）−第２の例
[00109]  図１４は、一例による、最良の１次サービングセルおよび２次サービングセルの測定イベントであるイベント１Ｄに関するノード間の信号伝達の一部を示す簡略化されたコールフロー図である。上記で説明したように、サービングセルは、１つまたは複数の異なるノードＢおよび１つまたは複数の異なる周波数／キャリアからのものであり得る。
【００９３】
[00110]  図示の例では、時間（１）において、セル１  １４０４は１次サービングセルとして始まり、セル２  １４０６は２次サービングセルとして始まる。セル３  １４０８は、ＵＥがそのセル品質を監視し測定することができる近隣セルである。近隣セルは、アクティブセット内にある場合もない場合もある。時間（２）においてＵＥ１４０２は、セル３  １４０８がそのセル品質（またはＣＰＩＣＨ  Ｅc／Ｉ0）の点でセル１  １４０４を上回る一方で、セル２  １４０６が依然としてセル３  １４０８のセル品質を上回ると判断し得る。したがって、ＵＥ１４０２は、イベント１Ｄを含み、セル３  １４０８のセル品質がセル１  １４０４のセル品質を上回る一方で、セル２  １４０６のセル品質が依然としてセル３  １４０８のセル品質を上回ることを識別するＲＲＣ測定報告メッセージを送信することができる。応答して、時間（３）においてＲＮＣ１４１０は、ＲＲＣ測定報告メッセージを評価し、ＵＥ１４０２との無線リンクをセットアップするために、ＮＢＡＰ信号伝達を利用してＩｕｂインターフェース経由でセル３  １４０８に信号伝達を送信することができる。次いで時間（４）において、ＲＮＣ１４１０は、セル１  １４０６とＵＥ１４０２との間の無線リンクを削除し、セル１  １４０４がもはやサービングセルとして活動していないので、フローに対応するセル１  １４０６にバッファされたデータすべてをフラッシュするために、ＮＢＡＰ信号伝達をＩｕｂインターフェース経由でセル１  １４０４に送信することができる。時間（５）においてＲＮＣ１４１０は、セル２  １４０６が新しい１次サービングセルになる一方でセル３  １４０８が新しい２次サービングセルになるようなサービングセル変更を指示するＲＲＣトランスポートチャネル再構成要求をＵＥ１４０２に送ることができる。次いでＵＥ１４０２は時間（６）において、ＲＮＣ１４１０にＲＲＣトランスポートチャネル再構成完了メッセージで応答することができる。こうして、時間（７）においてＨＳＤＰＡサービスが、新しい１次サービングセルとしてのセル２  １４０６および新しい２次サービングセルとしてのセル３  １４０８で始まり得る。セル２  １４０６は、サービングセルとしてとどまる間、セル２  １４０６およびＵＥでバッファされたデータは、維持され得る、すなわちフラッシュされ得ない。
【００９４】
[00111]  言い換えれば、モビリティイベント１Ｄが発生したとき、セル１  １４０４（１次サービングセルまたは上の表１のセルＸである）とセル２  １４０６（元の２次セルまたは上の表１のセルＹ）とが置き換えられる。セル１  １４０４は、セル２  １４０６およびセル３  １４０８（近隣サービングセルまたは上の表１のセルＺである）に取って代わられ、セル３  １４０８は、今では２番目に強いセルであり、新しい２次サービングセルとなり、セル２  １４０６に取って代わる。すなわち、セル２  １４０６が、セル１  １４０４に取って代わる新しい１次サービングセルとなる一方で、セル３  １４０８が、セル２  １４０６に取って代わる新しい２次サービングセルとなる。セル１  １４０４はもはやＵＥにサービスしていないので、セル１  １４０４でバッファされたデータはフラッシュされる一方で、セル２  １４０６およびＵＥに記憶されているバッファされたデータは維持され得る。
【００９５】
１次セルの変更（イベント１Ｄ）−第３の例
[00112]  図１５は、一例による、最良の１次サービングセルおよび２次サービングセルの測定イベントであるイベント１Ｄに関するノード間の信号伝達の一部を示す簡略化されたコールフロー図である。上記で説明したように、サービングセルは、１つまたは複数の異なるノードＢおよび１つまたは複数の異なる周波数／キャリアからのものであり得る。
【００９６】
[00113]  図示の例では、時間（１）において、セル１  １５０４は１次サービングセルとして始まり、セル２  １５０６は２次サービングセルとして始まる。セル３  １５０８は、ＵＥがそのセル品質を監視し測定することができる近隣セルである。近隣セルは、アクティブセット内にある場合もない場合もある。時間（２）においてＵＥ１５０２は、セル３  １５０８がそのセル品質（またはＣＰＩＣＨ  Ｅc／Ｉ0）の点でセル１  １５０４とセル２  １５０６とを上回る一方で、セル２  １５０６が今ではセル１  １５０２のセル品質を上回ると判断し得る。したがって、ＵＥ１５０２は、イベント１Ｄを含み、セル３  １５０８のセル品質がセル１  １５０４およびセル２  １５０６のセル品質を上回る一方で、セル２  １５０６のセル品質が今ではセル１  １５０８のセル品質を上回ることを識別するＲＲＣ測定報告メッセージを送信することができる。応答して、時間（３）においてＲＮＣ１５１０は、ＲＲＣ測定報告メッセージを評価し、ＵＥ１５０２との無線リンクをセットアップするために、ＮＢＡＰ信号伝達を利用してＩｕｂインターフェース経由でセル３  １５０８に信号伝達を送信することができる。次いで時間（４）において、ＲＮＣ１５１０は、セル１  １５０４とＵＥ１５０２との間の無線リンクを削除し、セル１  １５０２がもはやサービングセルとして活動していないので、フローに対応するセル１  １５０２にバッファされたデータすべてをフラッシュするために、ＮＢＡＰ信号伝達をＩｕｂインターフェース経由でセル１  １５０４に送信することができる。時間（５）においてＲＮＣ１５１０は、セル３  １５０８が新しい１次サービングセルになる一方でセル２  １５０６が２次サービングセルとしてとどまるようなサービングセル変更を指示するＲＲＣトランスポートチャネル再構成要求をＵＥ１５０２に送ることができる。次いでＵＥ１５０２は時間（６）において、ＲＮＣ１５１０にＲＲＣトランスポートチャネル再構成完了メッセージで応答することができる。こうして、時間（７）においてＨＳＤＰＡサービスが、新しい１次サービングセルとしてのセル３  １５０８および２次サービングセルとしてとどまるセル２  １５０６で始まり得る。セル２  １５０６は、サービングセルとしてとどまる間、セル２  １５０６およびＵＥでバッファされたデータは、維持され得る、すなわちフラッシュされ得ない。
【００９７】
[00114]  言い換えれば、モビリティイベント１Ｄが発生したとき、セル１  １５０４（１次サービングセルまたは上の表１のセルＸである）が置き換えられ、セル２  １５０６（元の２次セルまたは上の表１のセルＹである）は変更されていない。セル１  １５０４は、今では最強のセルであるセル３  １５０８（近隣サービングセルまたは上の表１のセルＺである）に取って代わられる一方で、セル２  １５０６は、２次サービングセルとしてとどまる。すなわち、セル３  １５０８が、セル１  １５０４に取って代わる新しい１次サービングセルとなる一方で、セル２  １５０６が、２次サービングセルとしてとどまる。セル１  １５０４はもはやＵＥにサービスしていないので、セル１  １５０４でバッファされたデータはフラッシュされる一方で、セル２  １５０６およびＵＥに記憶されているバッファされたデータは維持され得る。
【００９８】
サービングセルの除去（イベント１Ｂ）−第１の例
[00115]  図１６は、一例による、最良の１次サービングセルの測定イベントであるイベント１Ｂに関するノード間の信号伝達の一部を示す簡略化されたコールフロー図である。上記で説明したように、サービングセルは、１つまたは複数の異なるノードＢおよび１つまたは複数の異なる周波数／キャリアからのものであり得る。
【００９９】
[00116]  図示の例では、時間（１）において、セル１  １６０４は１次サービングセルとして始まり、セル２  １６０６は２次サービングセルとして始まる。時間（２）においてＵＥ１６０２は、セル１  １６０４が依然としてそのセル品質（またはＣＰＩＣＨ  Ｅc／Ｉ0）の点ですべての他のセルを上回ると判断し得る。したがって、ＵＥ１６０２は、イベント１Ｂを含み、セル１  １６０４のセル品質が依然としてセル２  １６０６のセル品質を上回ることを識別するＲＲＣ測定報告メッセージを送信することができる。さらに、セル２  １６０６のセル品質は、所定のしきい値を上回る、所定のしきい値を下回る、または報告範囲から出ていると判断され得る。応答して、時間（３）においてＲＮＣ１６１０は、ＲＲＣ測定報告メッセージを評価し、セル２  １６０６とＵＥ１６０２との間の無線リンクを削除し、フローに対応するセル２  １６０６にバッファされたデータすべてをフラッシュするために、ＮＢＡＰ信号伝達をＩｕｂインターフェース経由でセル２  １６０６に送信することができる。
【０１００】
[00117]  言い換えれば、モビリティイベント１Ｂが発生したとき、セル１  １６０４（１次サービングセルまたは上の表１のセルＸである）は１次サービングセルとしてとどまり、セル２  １６０６（元の２次サービングセルまたは上の表１のセルＹである）は除去される、すなわち、セル２  １６０６とＵＥとのリンクが削除される。新しい２次サービングセルは割り当てられていない。セル２  １６０６はもはやＵＥにサービスしていないので、セル２  １６０６にバッファされたデータはフラッシュされる一方で、セル１  １６０４およびＵＥに記憶されているバッファされたデータは維持され得る。
【０１０１】
サービングセルの除去（イベント１Ｂ）−第２の例
[00118]  図１７は、一例による、最良の１次サービングセルの測定イベントであるイベント１Ｂに関するノード間の信号伝達の一部を示す簡略化されたコールフロー図である。上記で説明したように、サービングセルは、１つまたは複数の異なるノードＢおよび１つまたは複数の異なる周波数／キャリアからのものであり得る。
【０１０２】
[00119]  図示の例では、時間（１）において、セル１  １７０４は１次サービングセルとして始まり、セル２  １７０６は２次サービングセルとして始まる。時間（２）においてＵＥ１７０２は、セル２  １７０６が今ではそのセル品質（またはＣＰＩＣＨ  Ｅc／Ｉ0）の点でセル１  １７０４とすべての他のセルとを上回ると判断し得る。したがって、ＵＥ１７０２は、イベント１Ｂを含み、セル２  １７０６のセル品質が今ではセル１  １７０４のセル品質を上回ることを識別するＲＲＣ測定報告メッセージを送信することができる。さらに、セル１  １７０４のセル品質は、所定のしきい値を上回る、所定のしきい値を下回る、または報告範囲から出ていると判断され得る。応答して、時間（３）においてＲＮＣ１７１０は、ＲＲＣ測定報告メッセージを評価し、セル１  １７０４とＵＥ１７０２との間の無線リンクを削除し、フローに対応するセル７  １７０４にバッファされたデータすべてをフラッシュするために、ＮＢＡＰ信号伝達をＩｕｂインターフェース経由でセル１  １７０４に送信することができる。時間（４）においてＲＮＣ１７１０は、セル２  １７０６が新しい１次サービングセルになり、セル１  １７０４とのリンクが削除されているようなサービングセル変更を指示するＲＲＣトランスポートチャネル再構成要求をＵＥ１７０２に送ることができる。次いでＵＥ１７０２は時間（５）において、ＲＮＣ１７１０にＲＲＣトランスポートチャネル再構成完了メッセージで応答することができる。こうして、時間（６）においてＨＳＤＰＡサービスが、新しい１次サービングセルとしてのセル２  １７０６で始まり得る。セル２  １７０６は、サービングセルとしてとどまる間、セル２  １７０６およびＵＥでバッファされたデータは、維持され得る、すなわちフラッシュされ得ない。
【０１０３】
[00120]  言い換えれば、モビリティイベント１Ｂが発生したとき、セル２  １７０６（２次サービングセルまたは上の表１のセルＹである）は新しい１次サービングセルとなり、セル１  １７０４（元の１次サービングセルまたは上の表１のセルＸである）は除去される、すなわち、セル１  １７０４とＵＥとのリンクが削除される。新しい２次サービングセルは割り当てられていない。セル１  １７０４はもはやＵＥにサービスしていないので、セル１  １７０４でバッファされたデータはフラッシュされる一方で、セル２  １７０６およびＵＥに記憶されているバッファされたデータは維持され得る。
【０１０４】
[00121]  図１８は、マルチフローＨＳＰＤＡ通信ネットワークにおけるサービングセル変更中のデータ損失を低減するための、ＵＴＲＡＮにおけるＲＮＣで動作可能なプロセスを示すフローチャートである。
【０１０５】
[00122]  まず、それぞれ第１のサービングセルと第２のサービングセルとを提供する少なくとも第１の基地局と第２の基地局とを利用しているユーザ機器（ＵＥ）に対し、ＵＥにおいてアグリゲートされるダウンリンクフローがＲＮＣから送信され得る（１８０２）。次いでＲＮＣは、第１のサービングセルおよび第２のサービングセルのセル品質をランク付けした測定報告をＵＥから受信し得る（１８０４）。第１のサービングセルおよび第２のサービングセルのセル品質は、ＵＥによって最強のサービングセルから最弱のサービングセルまでランク付けされ得る。
【０１０６】
[00123]  次に、ＲＮＣはサービングセル変更を実行することができ、この場合に第１の基地局または第２の基地局は、ＵＥに対するサービングセルとしての活動を続ける（１８０６）。活動サービングセルは、ランク付けされたセル品質による最強のセル品質に基づいて選択されてよく、活動サービングセルは１次サービングセルであってよく、非選択サービングセルは２次サービングセルであってよい。
【０１０７】
[00124]  測定報告はまた、モビリティイベントの発生時の、１つまたは複数の基地局によって提供された１つまたは複数の近隣セルのセル品質のランク付けを含むことができる。モビリティイベントの発生時に、近隣セルが、近隣セルのセル品質が１次サービングセルまたは２次サービングセルのセル品質よりも強いときに、ＵＥに関連するアクティブセットに追加され得る。
【０１０８】
[00125]  次に、サービングセル変更前のフローに対応するデータを、サービングセル変更後にＵＥに送信するための活動サービングセルの待ち行列内で維持するよう求める命令が、ＲＮＣによって活動サービングセルに送られ得る（１８０８）。
【０１０９】
[00126]  モビリティイベントの結果として、サービングセル変更が発生し得る。上述したように、モビリティイベントは、限定はしないが以下を含むことができる。（１）特定のセルのＥc／Ｉ0のＵＥ測定値が特定のしきい値に達し、そのレベルを一定時間にわたり維持して、アクティブセットにセルを追加するのが適切であり得る、（２）特定のセルのＥc／Ｉ0のＵＥ測定値が特定または所定のしきい値を下回り、そのレベルを一定時間にわたり維持して、アクティブセットからセルを除去するのが適切であり得る、および（３）近隣セル（アクティブセット内にある場合もない場合もある）が、Ｅc／Ｉ0のＵＥ測定値によるサービングＨＳ−ＤＳＣＨセルの品質を上回る。
【０１１０】
[00127]  電気通信システムのいくつかの態様が、Ｗ−ＣＤＭＡシステムを参照して提示されてきた。当業者なら容易に理解するように、本開示全体にわたって記載された様々な態様は、他の電気通信システム、ネットワークアーキテクチャ、および通信規格に拡張され得る。
【０１１１】
[00128]  例として、様々な態様は、ＴＤ−ＳＣＤＭＡおよびＴＤ−ＣＤＭＡなどの他のＵＭＴＳシステムに拡張され得る。様々な態様は、（ＦＤＤ、ＴＤＤ、または両モードでの）ロングタームエボリューション（ＬＴＥ（登録商標））、（ＦＤＤ、ＴＤＤ、または両モードでの）ＬＴＥアドバンス（ＬＴＥ−Ａ）、ＣＤＭＡ２０００、エボリューションデータ最適化（ＥＶ−ＤＯ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、ウルトラワイドバンド（ＵＷＢ）、Ｂｌｕｅｔｏｏｔｈ（登録商標）、および／または他の適切なシステムを採用するシステムにも拡張され得る。採用された実際の電気通信規格、ネットワークアーキテクチャ、および／または通信規格は、特定の適用例およびシステムに課せられる全体的な設計制約に依存する。
【０１１２】
[00129]  以上の説明は、いかなる当業者も本明細書に記載された様々な態様を実行することを可能にするために提供される。これらの態様に対する様々な変更は当業者には容易に明らかであり、本明細書に定義された一般原理は他の態様に適用され得る。したがって、特許請求の範囲は、本明細書に示された態様に限定されるものではなく、特許請求の範囲の言い回しに矛盾しない全範囲を与えられるべきであり、単数形の要素への言及は、そのように明記されていない限り、「唯一無二」を意味するものではなく、むしろ「１つまたは複数」を意味するものである。別段に明記されない限り、「いくつか」という語は１つまたは複数を表す。項目のリスト「のうちの少なくとも１つ」を指す語句は、個々のメンバーを含む、それらの項目の任意の組合せを指す。一例として、「ａ、ｂまたはｃのうちの少なくとも１つ」は、ａと、ｂと、ｃと、ａおよびｂと、ａおよびｃと、ｂおよびｃと、ａ、ｂおよびｃとを包含するものである。当業者に知られている、または後で知られるようになる、本開示全体を通して記載された様々な態様の要素の構造的および機能的な均等物のすべては、参照により本明細書に明確に組み込まれ、特許請求の範囲によって包含されるものである。その上、本明細書に開示されたいかなることも、そのような開示が特許請求の範囲に明示的に列挙されているかどうかにかかわらず、公に供されるものではない。いかなるクレーム要素も、その要素が「手段」という語句を使用して明白に記載されていない限り、または方法クレームの場合には、その要素が「ステップ」という語句を使用して記載されていない限り、米国特許法第１１２条第６項の規定に基づいて解釈されるものではない。
【図１】
2018033141.tif 000004
【図２】
2018033141.tif 000005
【図３】
2018033141.tif 000006
【図４】
2018033141.tif 000007
【図５】
2018033141.tif 000008
【図６】
2018033141.tif 000009
【図７】
2018033141.tif 000010
【図８】
2018033141.tif 000011
【図９】
2018033141.tif 000012
【図１０】
2018033141.tif 000013
【図１１】
2018033141.tif 000014
【図１２】
2018033141.tif 000015
【図１３】
2018033141.tif 000016
【図１４】
2018033141.tif 000017
【図１５】
2018033141.tif 000018
【図１６】
2018033141.tif 000019
【図１７】
2018033141.tif 000020
【図１８】
2018033141.tif 000021
【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ダウンリンクフローに対応する第１のダウンリンクキャリアを、第１のサービングセルからユーザ機器（ＵＥ）に送信することと、
前記第１のダウンリンクキャリアが前記ＵＥにおいて第２のダウンリンクキャリアとアグリゲートされ得るように、前記ダウンリンクフローに対応する前記第２のダウンリンクキャリアを、第２のサービングセルから前記ＵＥに送信することと、
サービングセル変更を実行することであって、前記第１のサービングセルまたは前記第２のサービングセルが、前記サービングセル変更後に前記ＵＥに対する活動サービングセルとしての活動を続けることと、
前記サービングセル変更前の前記ダウンリンクフローに対応するデータを、前記サービングセル変更後に前記活動サービングセルと前記ＵＥとの間でワイヤレス伝送媒体を介して送信するための前記活動サービングセルの待ち行列内で維持することと、を備える方法。
【請求項２】
前記第１のサービングセルまたは前記第２のサービングセルにおいて報告を前記ＵＥから受信することであって、前記報告は、前記第１のサービングセルおよび前記第２のサービングセルのセル品質をランク付けし、前記ランク付けされたセル品質による最強のセル品質に基づいて前記活動サービングセルが選択されることをさらに備え、
前記活動サービングセルは１次サービングセルであり、非選択サービングセルは２次サービングセルである、請求項１に記載の方法。
【請求項３】
前記報告は、モビリティイベントの発生時の、１つまたは複数の基地局によって提供された１つまたは複数の近隣セルの前記セル品質のランク付けをさらに備え、前記方法は、
前記モビリティイベントの前記発生時に、前記報告が、前記近隣セルの前記セル品質が前記１次サービングセルまたは前記２次サービングセルの前記セル品質よりも強いことを示すときに、前記ＵＥに関連するアクティブセットに前記１つまたは複数の近隣セルの中からの１つの近隣セルを追加することをさらに備える、請求項２に記載の方法。
【請求項４】
前記報告が、前記近隣サービングセルの前記セル品質が前記１次サービングセルの前記セル品質を上回ることを示すときに、前記１次サービングセルを前記近隣サービングセルに置き換えることによって、１次サービングセル変更を実行することであって、前記近隣サービングセルが新しい１次サービングセルになることと、
前記報告が、前記１次サービングセルの前記セル品質が前記２次サービングセルの前記セル品質を上回ることを示すときに、前記２次セルを前記１次サービングセルに置き換えることによって、２次サービングセル変更を実行することであって、前記１次サービングセルが新しい２次サービングセルになることと、
前記新しい１次サービングセルの待ち行列内で前記ダウンリンクフローに対応する前記データを維持することと、
前記２次サービングセルの待ち行列内の前記ダウンリンクフローに対応する前記データをフラッシュすることとをさらに備える、請求項３に記載の方法。
【請求項５】
前記報告が、前記２次サービングセルの前記セル品質が前記１次サービングセルの前記セル品質を上回ることを示すときに、前記１次サービングセルを前記２次サービングセルに置き換えることによって、１次サービングセル変更を実行することであって、前記２次サービングセルが新しい１次サービングセルになることと、
前記報告が、前記近隣サービングセルの前記セル品質が前記２次サービングセルの前記セル品質を上回ることを示すときに、前記２次セルを前記近隣サービングセルに置き換えることによって、２次サービングセル変更を実行することであって、前記近隣サービングセルが新しい２次サービングセルになることと、
前記新しい１次サービングセルの待ち行列内で前記ダウンリンクフローに対応する前記データを維持することと、
前記２次サービングセルの待ち行列内の前記ダウンリンクフローに対応する前記データをフラッシュすることとをさらに備える、請求項３に記載の方法。
【請求項６】
前記報告が、前記近隣サービングセルの前記セル品質が前記１次サービングセルの前記セル品質を上回ることを示すときに、前記１次サービングセルを前記近隣サービングセルに置き換えることによって、１次サービングセル変更を実行することであって、前記近隣サービングセルが新しい１次サービングセルになることと、
前記新しい１次サービングセルの待ち行列内で前記ダウンリンクフローに対応する前記データを維持することと、
前記１次サービングセルの待ち行列内の前記ダウンリンクフローに対応する前記データをフラッシュすることとをさらに備える、請求項３に記載の方法。
【請求項７】
前記報告が、前記２次サービングセルの前記セル品質が所定のしきい値を下回ることを示すときに、前記ＵＥに関連する前記アクティブセットから前記２次サービングセルを除去することと、
前記２次サービングセルの待ち行列内の前記ダウンリンクフローに対応する前記データをフラッシュすることとをさらに備える、請求項３に記載の方法。
【請求項８】
前記報告が、前記２次サービングセルの前記セル品質が前記１次サービングセルの前記セル品質を上回ることを示すときに、前記１次サービングセルを前記２次サービングセルに置き換えることによって、１次サービングセル変更を実行することであって、前記２次サービングセルが新しい１次サービングセルになることと、
前記報告が、前記１次サービングセルの前記セル品質が所定のしきい値を下回ることを示すときに、前記ＵＥに関連する前記アクティブセットから前記１次サービングセルを除去することと、
前記１次サービングセルの待ち行列内の前記ダウンリンクフローに対応する前記データをフラッシュすることとをさらに備える、請求項３に記載の方法。
【請求項９】
前記モビリティイベントは、所定のしきい値に達し、所定の時間にわたり前記所定のしきい値を維持する特定のサービングセルのＥc／Ｉ0のＵＥ測定値である、請求項３に記載の方法。
【請求項１０】
前記モビリティイベントは、所定のしきい値を下回り、所定の時間にわたり前記所定のしきい値を維持する特定のサービングセルのＥc／Ｉ0のＵＥ測定値である、請求項３に記載の方法。
【請求項１１】
第１のプロセッサと、前記第１のプロセッサに通信可能に結合された第１のトランシーバと、前記第１のプロセッサに通信可能に結合された第１のメモリとを備える第１のノードＢと、
第２のプロセッサと、前記第２のプロセッサに通信可能に結合された第２のトランシーバと、前記第２のプロセッサに通信可能に結合された第２のメモリとを備える第２のノードＢとを備え、
前記第１のノードＢおよび前記第２のノードＢは、
ダウンリンクフローに対応する第１のダウンリンクキャリアを、前記第１のノードＢからユーザ機器（ＵＥ）に送信するために前記第１のトランシーバを利用することと、
前記第１のダウンリンクキャリアが前記ＵＥにおいて第２のダウンリンクキャリアとアグリゲートされ得るように、前記ダウンリンクフローに対応する前記第２のダウンリンクキャリアを、前記第２のノードＢから前記ＵＥに送信するために前記第２のトランシーバを利用することと、
サービングセル変更を実行することであって、前記第１のノードＢが、前記サービングセル変更後に前記ＵＥに対する活動サービングセルとしての活動を続けることと、
前記サービングセル変更前の前記ダウンリンクフローに対応するデータを、前記サービングセル変更後に前記第１のノードＢと前記ＵＥとの間でワイヤレス伝送媒体を介して送信するための前記第１のノードＢにおける前記第１のメモリ内で維持することと、
を行うように構成される、ワイヤレス通信システム。
【請求項１２】
前記第１のノードＢおよび前記第２のノードＢは、
前記第１のノードＢまたは前記第２のノードＢにおいて報告を前記ＵＥから受信することであって、前記報告は、前記第１のノードＢおよび前記第２のノードＢのセル品質をランク付けし、前記ランク付けされたセル品質による最強のセル品質に基づいて前記第１のノードＢが選択されることを行うようにさらに構成され、
前記第１のノードＢおよび前記第２のノードＢの一方は１次サービングセルであり、前記第１のノードＢおよび前記第２のノードＢのもう一方は２次サービングセルである、請求項１１に記載のワイヤレス通信システム。
【請求項１３】
前記報告は、モビリティイベントの発生時の、１つまたは複数の基地局によって提供された１つまたは複数の近隣セルの前記セル品質のランク付けをさらに備え、
前記第１のノードＢおよび前記第２のノードＢは、前記モビリティイベントの前記発生時に、前記報告が、前記近隣セルの前記セル品質が前記１次サービングセルまたは前記２次サービングセルの前記セル品質よりも強いことを示すときに、前記ＵＥに関連するアクティブセットに前記１つまたは複数の近隣セルの中からの１つの近隣セルを追加するようにさらに構成される、請求項１２に記載のワイヤレス通信システム。
【請求項１４】
前記第１のノードＢおよび前記第２のノードＢは、
前記報告が、前記近隣サービングセルの前記セル品質が前記１次サービングセルの前記セル品質を上回ることを示すときに、前記１次サービングセルを前記近隣サービングセルに置き換えることによって、１次サービングセル変更を実行することであって、前記近隣サービングセルが新しい１次サービングセルになることと、
前記報告が、前記１次サービングセルの前記セル品質が前記２次サービングセルの前記セル品質を上回ることを示すときに、前記２次セルを前記１次サービングセルに置き換えることによって、２次サービングセル変更を実行することであって、前記１次サービングセルが新しい２次サービングセルになることと、
前記新しい１次サービングセルの待ち行列内で前記ダウンリンクフローに対応する前記データを維持することと、
前記２次サービングセルの待ち行列内の前記ダウンリンクフローに対応する前記データをフラッシュすることとを行うようにさらに構成される、請求項１３に記載のワイヤレス通信システム。
【請求項１５】
前記第１のノードＢおよび前記第２のノードＢは、
前記報告が、前記２次サービングセルの前記セル品質が前記１次サービングセルの前記セル品質を上回ることを示すときに、前記１次サービングセルを前記２次サービングセルに置き換えることによって、１次サービングセル変更を実行することであって、前記２次サービングセルが新しい１次サービングセルになることと、
前記報告が、前記近隣サービングセルの前記セル品質が前記２次サービングセルの前記セル品質を上回ることを示すときに、前記２次セルを前記近隣サービングセルに置き換えることによって、２次サービングセル変更を実行することであって、前記近隣サービングセルが新しい２次サービングセルになることと、
前記新しい１次サービングセルの待ち行列内で前記ダウンリンクフローに対応する前記データを維持することと、
前記２次サービングセルの待ち行列内の前記ダウンリンクフローに対応する前記データをフラッシュすることとを行うようにさらに構成される、請求項１３に記載のワイヤレス通信システム。
【請求項１６】
前記第１のノードＢおよび前記第２のノードＢは、
前記報告が、前記近隣サービングセルの前記セル品質が前記１次サービングセルの前記セル品質を上回ることを示すときに、前記１次サービングセルを前記近隣サービングセルに置き換えることによって、１次サービングセル変更を実行することであって、前記近隣サービングセルが新しい１次サービングセルになることと、
前記新しい１次サービングセルの待ち行列内で前記ダウンリンクフローに対応する前記データを維持することと、
前記１次サービングセルの待ち行列内の前記ダウンリンクフローに対応する前記データをフラッシュすることとを行うようにさらに構成される、請求項１３に記載のワイヤレス通信システム。
【請求項１７】
前記第１のノードＢおよび前記第２のノードＢは、
前記報告が、前記２次サービングセルの前記セル品質が所定のしきい値を下回ることを示すときに、前記ＵＥに関連する前記アクティブセットから前記２次サービングセルを除去することと、
前記２次サービングセルの待ち行列内の前記ダウンリンクフローに対応する前記データをフラッシュすることとを行うようにさらに構成される、請求項１３に記載のワイヤレス通信システム。
【請求項１８】
前記第１のノードＢおよび前記第２のノードＢは、
前記報告が、前記２次サービングセルの前記セル品質が前記１次サービングセルの前記セル品質を上回ることを示すときに、前記１次サービングセルを前記２次サービングセルに置き換えることによって、１次サービングセル変更を実行することであって、前記２次サービングセルが新しい１次サービングセルになることと、
前記報告が、前記１次サービングセルの前記セル品質が所定のしきい値を下回ることを示すときに、前記ＵＥに関連する前記アクティブセットから前記１次サービングセルを除去することと、
前記１次サービングセルの待ち行列内の前記ダウンリンクフローに対応する前記データをフラッシュすることとを行うようにさらに構成される、請求項１３に記載のワイヤレス通信システム。
【請求項１９】
前記モビリティイベントは、所定のしきい値に達し、所定の時間にわたり前記所定のしきい値を維持する特定のサービングセルのＥc／Ｉ0のＵＥ測定値である、請求項１３に記載のワイヤレス通信システム。
【請求項２０】
前記モビリティイベントは、所定のしきい値を下回り、所定の時間にわたり前記所定のしきい値を維持する特定のサービングセルのＥc／Ｉ0のＵＥ測定値である、請求項１３に記載のワイヤレス通信システム。
【請求項２１】
ダウンリンクフローに対応する第１のダウンリンクキャリアを、第１のサービングセルからユーザ機器（ＵＥ）に送信するための手段と、
前記第１のダウンリンクキャリアが前記ＵＥにおいて第２のダウンリンクキャリアとアグリゲートされ得るように、前記ダウンリンクフローに対応する前記第２のダウンリンクキャリアを、第２のサービングセルから前記ＵＥに送信するための手段と、
サービングセル変更を実行するための手段であって、前記第１のサービングセルまたは前記第２のサービングセルが、前記サービングセル変更後に前記ＵＥに対する活動サービングセルとしての活動を続ける手段と、
前記サービングセル変更前の前記ダウンリンクフローに対応するデータを、前記サービングセル変更後に前記活動サービングセルと前記ＵＥとの間でワイヤレス伝送媒体を介して送信するための前記活動サービングセルの待ち行列内で維持するための手段と、を備えるワイヤレス通信システム。
【請求項２２】
前記第１のサービングセルまたは前記第２のサービングセルにおいて報告を前記ＵＥから受信するための手段であって、前記報告は、前記第１のサービングセルおよび前記第２のサービングセルのセル品質をランク付けし、前記ランク付けされたセル品質による最強のセル品質に基づいて前記活動サービングセルが選択される手段をさらに備え、
前記活動サービングセルは１次サービングセルであり、非選択サービングセルは２次サービングセルである、請求項２１に記載のワイヤレス通信システム。
【請求項２３】
前記報告は、モビリティイベントの発生時の、１つまたは複数の基地局によって提供された１つまたは複数の近隣セルの前記セル品質のランク付けをさらに備え、前記ワイヤレス通信システムは、
前記モビリティイベントの前記発生時に、前記報告が、前記近隣セルの前記セル品質が前記１次サービングセルまたは前記２次サービングセルの前記セル品質よりも強いことを示すときに、前記ＵＥに関連するアクティブセットに前記１つまたは複数の近隣セルの中からの１つの近隣セルを追加することをさらに備える追加される、請求項２２に記載のワイヤレス通信システム。
【請求項２４】
前記報告が、前記近隣サービングセルの前記セル品質が前記１次サービングセルの前記セル品質を上回ることを示すときに、前記１次サービングセルを前記近隣サービングセルに置き換えることによって、１次サービングセル変更を実行するための手段であって、前記近隣サービングセルが新しい１次サービングセルになる手段と、
前記報告が、前記１次サービングセルの前記セル品質が前記２次サービングセルの前記セル品質を上回ることを示すときに、前記２次セルを前記１次サービングセルに置き換えることによって、２次サービングセル変更を実行するための手段であって、前記１次サービングセルが新しい２次サービングセルになる手段と、
前記新しい１次サービングセルの待ち行列内で前記ダウンリンクフローに対応する前記データを維持するための手段と、
前記２次サービングセルの待ち行列内の前記ダウンリンクフローに対応する前記データをフラッシュするための手段と、をさらに備える、請求項２３に記載のワイヤレス通信システム。
【請求項２５】
前記報告が、前記２次サービングセルの前記セル品質が前記１次サービングセルの前記セル品質を上回ることを示すときに、前記１次サービングセルを前記２次サービングセルに置き換えることによって、１次サービングセル変更を実行するための手段であって、前記２次サービングセルが新しい１次サービングセルになる手段と、
前記報告が、前記近隣サービングセルの前記セル品質が前記２次サービングセルの前記セル品質を上回ることを示すときに、前記２次セルを前記近隣サービングセルに置き換えることによって、２次サービングセル変更を実行するための手段であって、前記近隣サービングセルが新しい２次サービングセルになる手段と、
前記新しい１次サービングセルの待ち行列内で前記ダウンリンクフローに対応する前記データを維持するための手段と、
前記２次サービングセルの待ち行列内の前記ダウンリンクフローに対応する前記データをフラッシュするための手段と、をさらに備える、請求項２３に記載のワイヤレス通信システム。
【請求項２６】
前記報告が、前記近隣サービングセルの前記セル品質が前記１次サービングセルの前記セル品質を上回ることを示すときに、前記１次サービングセルを前記近隣サービングセルに置き換えることによって、１次サービングセル変更を実行するための手段であって、前記近隣サービングセルが新しい１次サービングセルになる手段と、
前記新しい１次サービングセルの待ち行列内で前記ダウンリンクフローに対応する前記データを維持するための手段と、
前記１次サービングセルの待ち行列内の前記ダウンリンクフローに対応する前記データをフラッシュするための手段と、をさらに備える、請求項２３に記載のワイヤレス通信システム。
【請求項２７】
前記報告が、前記２次サービングセルの前記セル品質が所定のしきい値を下回ることを示すときに、前記ＵＥに関連する前記アクティブセットから前記２次サービングセルを除去するための手段と、
前記２次サービングセルの待ち行列内の前記ダウンリンクフローに対応する前記データをフラッシュするための手段と、をさらに備える、請求項２３に記載のワイヤレス通信システム。
【請求項２８】
前記報告が、前記２次サービングセルの前記セル品質が前記１次サービングセルの前記セル品質を上回ることを示すときに、前記１次サービングセルを前記２次サービングセルに置き換えることによって、１次サービングセル変更を実行するための手段であって、前記２次サービングセルが新しい１次サービングセルになる手段と、
前記報告が、前記１次サービングセルの前記セル品質が所定のしきい値を下回ることを示すときに、前記ＵＥに関連する前記アクティブセットから前記１次サービングセルを除去するための手段と、
前記１次サービングセルの待ち行列内の前記ダウンリンクフローに対応する前記データをフラッシュするための手段と、をさらに備える、請求項２３に記載のワイヤレス通信システム。
【請求項２９】
前記モビリティイベントは、所定のしきい値に達し、所定の時間にわたり前記所定のしきい値を維持する特定のサービングセルのＥc／Ｉ0のＵＥ測定値である、請求項２３に記載のワイヤレス通信システム。
【請求項３０】
前記モビリティイベントは、所定のしきい値を下回り、所定の時間にわたり前記所定のしきい値を維持する特定のサービングセルのＥc／Ｉ0のＵＥ測定値である、請求項２３に記載のワイヤレス通信システム。
【請求項３１】
コンピュータ実行可能なコードを記憶した非一時的なコンピュータ可読記憶媒体であって、
第１のサービングセルに、ダウンリンクフローに対応する第１のダウンリンクキャリアをユーザ機器（ＵＥ）に送信させるための命令と、
前記第１のダウンリンクキャリアが前記ＵＥにおいて第２のダウンリンクキャリアとアグリゲートされ得るように、第２のサービングセルに、前記ダウンリンクフローに対応する前記第２のダウンリンクキャリアを前記ＵＥに送信させるための命令と、
サービングセル変更を実行するための命令であって、前記第１のサービングセルまたは前記第２のサービングセルが、前記サービングセル変更後に前記ＵＥに対する活動サービングセルとしての活動を続ける命令と、
前記サービングセル変更前の前記ダウンリンクフローに対応するデータを、前記サービングセル変更後に前記活動サービングセルと前記ＵＥとの間でワイヤレス伝送媒体を介して送信するための前記活動サービングセルの待ち行列内で維持するための命令と、
を備える、非一時的なコンピュータ可読記憶媒体。
【請求項３２】
前記第１のサービングセルまたは前記第２のサービングセルにおいて報告を前記ＵＥから受信するための命令であって、前記報告は、前記第１のサービングセルおよび前記第２のサービングセルのセル品質をランク付けし、前記ランク付けされたセル品質による最強のセル品質に基づいて前記活動サービングセルが選択される命令をさらに備え、
前記活動サービングセルは１次サービングセルであり、非選択サービングセルは２次サービングセルである、請求項３１に記載の非一時的なコンピュータ可読記憶媒体。
【請求項３３】
前記報告は、モビリティイベントの発生時の、１つまたは複数の基地局によって提供された１つまたは複数の近隣セルの前記セル品質のランク付けをさらに備え、前記非一時的なコンピュータ可読記憶媒体は、
前記モビリティイベントの前記発生時に、前記報告が、前記近隣セルの前記セル品質が前記１次サービングセルまたは前記２次サービングセルの前記セル品質よりも強いことを示すときに、前記ＵＥに関連するアクティブセットに前記１つまたは複数の近隣セルの中からの１つの近隣セルを追加するための命令をさらに備える、請求項３２に記載の非一時的なコンピュータ可読記憶媒体。
【請求項３４】
前記報告が、前記近隣サービングセルの前記セル品質が前記１次サービングセルの前記セル品質を上回ることを示すときに、前記１次サービングセルを前記近隣サービングセルに置き換えることによって、１次サービングセル変更を実行するための命令であって、前記近隣サービングセルが新しい１次サービングセルになる命令と、
前記報告が、前記１次サービングセルの前記セル品質が前記２次サービングセルの前記セル品質を上回ることを示すときに、前記２次セルを前記１次サービングセルに置き換えることによって、２次サービングセル変更を実行するための命令であって、前記１次サービングセルが新しい２次サービングセルになる命令と、
前記新しい１次サービングセルの待ち行列内で前記ダウンリンクフローに対応する前記データを維持するための命令と、
前記２次サービングセルの待ち行列内の前記ダウンリンクフローに対応する前記データをフラッシュするための命令と、をさらに備える、請求項３３に記載の非一時的なコンピュータ可読記憶媒体。
【請求項３５】
前記報告が、前記２次サービングセルの前記セル品質が前記１次サービングセルの前記セル品質を上回ることを示すときに、前記１次サービングセルを前記２次サービングセルに置き換えることによって、１次サービングセル変更を実行するための命令であって、前記２次サービングセルが新しい１次サービングセルになる命令と、
前記報告が、前記近隣サービングセルの前記セル品質が前記２次サービングセルの前記セル品質を上回ることを示すときに、前記２次セルを前記近隣サービングセルに置き換えることによって、２次サービングセル変更を実行するための命令であって、前記近隣サービングセルが新しい２次サービングセルになる命令と、
前記新しい１次サービングセルの待ち行列内で前記ダウンリンクフローに対応する前記データを維持するための命令と、
前記２次サービングセルの待ち行列内の前記ダウンリンクフローに対応する前記データをフラッシュするための命令と、をさらに備える、請求項３３に記載の非一時的なコンピュータ可読記憶媒体。
【請求項３６】
前記報告が、前記近隣サービングセルの前記セル品質が前記１次サービングセルの前記セル品質を上回ることを示すときに、前記１次サービングセルを前記近隣サービングセルに置き換えることによって、１次サービングセル変更を実行するための命令であって、前記近隣サービングセルが新しい１次サービングセルになる命令と、
前記新しい１次サービングセルの待ち行列内で前記ダウンリンクフローに対応する前記データを維持するための命令と、
前記１次サービングセルの待ち行列内の前記ダウンリンクフローに対応する前記データをフラッシュするための命令と、をさらに備える、請求項３３に記載の非一時的なコンピュータ可読記憶媒体。
【請求項３７】
前記報告が、前記２次サービングセルの前記セル品質が所定のしきい値を下回ることを示すときに、前記ＵＥに関連する前記アクティブセットから前記２次サービングセルを除去するための命令と、
前記２次サービングセルの待ち行列内の前記ダウンリンクフローに対応する前記データをフラッシュするための命令と、をさらに備える、請求項３３に記載の非一時的なコンピュータ可読記憶媒体。
【請求項３８】
前記報告が、前記２次サービングセルの前記セル品質が前記１次サービングセルの前記セル品質を上回ることを示すときに、前記１次サービングセルを前記２次サービングセルに置き換えることによって、１次サービングセル変更を実行するための命令であって、前記２次サービングセルが新しい１次サービングセルになる命令と、
前記報告が、前記１次サービングセルの前記セル品質が所定のしきい値を下回ることを示すときに、前記ＵＥに関連する前記アクティブセットから前記１次サービングセルを除去するための命令と、
前記１次サービングセルの待ち行列内の前記ダウンリンクフローに対応する前記データをフラッシュするための命令と、をさらに備える、請求項３３に記載の非一時的なコンピュータ可読記憶媒体。
【請求項３９】
前記モビリティイベントは、所定のしきい値に達し、所定の時間にわたり前記所定のしきい値を維持する特定のサービングセルのＥc／Ｉ0のＵＥ測定値である、請求項３３に記載の非一時的なコンピュータ可読記憶媒体。
【請求項４０】
前記モビリティイベントは、所定のしきい値を下回り、所定の時間にわたり前記所定のしきい値を維持する特定のサービングセルのＥc／Ｉ0のＵＥ測定値である、請求項３３に記載の非一時的なコンピュータ可読記憶媒体。
【手続補正２】
【補正対象書類名】明細書
【補正対象項目名】０１１２
【補正方法】変更
【補正の内容】
【０１１２】
[00129]以上の説明は、いかなる当業者も本明細書に記載された様々な態様を実行することを可能にするために提供される。これらの態様に対する様々な変更は当業者には容易に明らかであり、本明細書に定義された一般原理は他の態様に適用され得る。したがって、特許請求の範囲は、本明細書に示された態様に限定されるものではなく、特許請求の範囲の言い回しに矛盾しない全範囲を与えられるべきであり、単数形の要素への言及は、そのように明記されていない限り、「唯一無二」を意味するものではなく、むしろ「１つまたは複数」を意味するものである。別段に明記されない限り、「いくつか」という語は１つまたは複数を表す。項目のリスト「のうちの少なくとも１つ」を指す語句は、個々のメンバーを含む、それらの項目の任意の組合せを指す。一例として、「ａ、ｂまたはｃのうちの少なくとも１つ」は、ａと、ｂと、ｃと、ａおよびｂと、ａおよびｃと、ｂおよびｃと、ａ、ｂおよびｃとを包含するものである。当業者に知られている、または後で知られるようになる、本開示全体を通して記載された様々な態様の要素の構造的および機能的な均等物のすべては、参照により本明細書に明確に組み込まれ、特許請求の範囲によって包含されるものである。その上、本明細書に開示されたいかなることも、そのような開示が特許請求の範囲に明示的に列挙されているかどうかにかかわらず、公に供されるものではない。いかなるクレーム要素も、その要素が「手段」という語句を使用して明白に記載されていない限り、または方法クレームの場合には、その要素が「ステップ」という語句を使用して記載されていない限り、米国特許法第１１２条第６項の規定に基づいて解釈されるものではない。
以下に、本願の出願当初の特許請求の範囲に記載された発明を付記する。
［Ｃ１］
ワイヤレス通信の方法であって、
それぞれ第１のサービングセルと第２のサービングセルとを提供する少なくとも第１の基地局と第２の基地局とを利用しているユーザ機器（ＵＥ）に対し、前記ＵＥにおいてアグリゲートされるダウンリンクフローを送信することと、
サービングセル変更を実行することであって、前記第１の基地局または前記第２の基地局が、前記ＵＥに対するサービングセルとしての活動を続けることと、
前記サービングセル変更前の前記フローに対応するデータを、前記サービングセル変更後に前記ＵＥに送信するための前記活動サービングセルの待ち行列内で維持するよう求める命令を前記活動サービングセルに送ることと、を備える方法。
［Ｃ２］
前記第１のサービングセルおよび前記第２のサービングセルのセル品質をランク付けした報告を前記ＵＥから受信することであって、前記ランク付けされたセル品質による最強のセル品質に基づいて前記活動サービングセルが選択されることをさらに備え、
前記活動サービングセルは１次サービングセルであり、非選択サービングセルは２次サービングセルである、Ｃ１に記載の方法。
［Ｃ３］
前記報告は、モビリティイベントの発生時の、１つまたは複数の基地局によって提供された１つまたは複数の近隣セルの前記セル品質のランク付けをさらに含み、前記モビリティイベントの前記発生時に、近隣セルが、前記近隣セルの前記セル品質が前記１次サービングセルまたは前記２次サービングセルの前記セル品質よりも強いときに、前記ＵＥに関連するアクティブセットに追加される、Ｃ２に記載の方法。
［Ｃ４］
前記サービングセル変更前の前記フローに対応するデータを、前記サービングセル変更後に前記ＵＥに送信するための前記活動サービングセルの待ち行列内で維持するよう求める命令を前記活動サービングセルに送ることをさらに備える、Ｃ３に記載の方法。
［Ｃ５］
前記近隣サービングセルの前記セル品質が前記１次サービングセルの前記セル品質を上回るときに、前記１次サービングセルを前記近隣サービングセルに置き換えることによって、１次サービングセル変更を実行することであって、前記近隣サービングセルが新しい１次サービングセルになることと、
前記１次サービングセルの前記セル品質が前記２次サービングセルの前記セル品質を上回るときに、前記２次セルを前記１次サービングセルに置き換えることによって、２次サービングセル変更を実行することであって、前記１次サービングセルが新しい２次サービングセルになることと、
前記新しい１次サービングセルの待ち行列内で前記フローに対応する前記データを維持することと、
前記２次サービングセルの待ち行列内の前記フローに対応する前記データをフラッシュすることとをさらに備える、Ｃ４に記載の方法。
［Ｃ６］
前記２次サービングセルの前記セル品質が前記１次サービングセルの前記セル品質を上回るときに、前記１次サービングセルを前記２次サービングセルに置き換えることによって、１次サービングセル変更を実行することであって、前記２次サービングセルが新しい１次サービングセルになることと、
前記近隣サービングセルの前記セル品質が前記２次サービングセルの前記セル品質を上回るときに、前記２次セルを前記近隣サービングセルに置き換えることによって、２次サービングセル変更を実行することであって、前記近隣サービングセルが新しい２次サービングセルになることと、
前記新しい１次サービングセルの待ち行列内で前記フローに対応する前記データを維持することと、
前記２次サービングセルの待ち行列内の前記フローに対応する前記データをフラッシュすることとをさらに備える、Ｃ４に記載の方法。
［Ｃ７］
前記近隣サービングセルの前記セル品質が前記１次サービングセルの前記セル品質を上回るときに、前記１次サービングセルを前記近隣サービングセルに置き換えることによって、１次サービングセル変更を実行することであって、前記近隣サービングセルが新しい１次サービングセルになることと、
前記新しい１次サービングセルの待ち行列内で前記フローに対応する前記データを維持することと、
前記１次サービングセルの待ち行列内の前記フローに対応する前記データをフラッシュすることとをさらに備える、Ｃ４に記載の方法。
［Ｃ８］
前記２次サービングセルの前記セル品質が所定のしきい値を下回るときに、前記ＵＥに関連する前記アクティブセットから前記２次サービングセルを除去することと、
前記２次サービングセルの待ち行列内の前記フローに対応する前記データをフラッシュすることとをさらに備える、Ｃ４に記載の方法。
［Ｃ９］
前記２次サービングセルの前記セル品質が前記１次サービングセルの前記セル品質を上回るときに、前記１次サービングセルを前記２次サービングセルに置き換えることによって、１次サービングセル変更を実行することであって、前記２次サービングセルが新しい１次サービングセルになることと、
前記１次サービングセルの前記セル品質が所定のしきい値を下回るときに、前記ＵＥに関連する前記アクティブセットから前記１次サービングセルを除去することと、
前記１次サービングセルの待ち行列内の前記フローに対応する前記データをフラッシュすることとをさらに備える、Ｃ４に記載の方法。
［Ｃ１０］
前記モビリティイベントは、所定のしきい値に達し、所定の時間にわたり前記所定のしきい値を維持する特定のサービングセルのＥc／Ｉ0のＵＥ測定値である、Ｃ４に記載の方法。
［Ｃ１１］
前記モビリティイベントは、所定のしきい値を下回り、所定の時間にわたり前記所定のしきい値を維持する特定のサービングセルのＥc／Ｉ0のＵＥ測定値である、Ｃ４に記載の方法。
［Ｃ１２］
ワイヤレス通信のための装置であって、
それぞれ第１のサービングセルと第２のサービングセルとを提供する少なくとも第１の基地局と第２の基地局とを利用しているユーザ機器（ＵＥ）に対し、前記ＵＥにおいてアグリゲートされるダウンリンクフローを送信するための手段と、
サービングセル変更を実行するための手段であって、前記第１の基地局または前記第２の基地局が、前記ＵＥに対するサービングセルとしての活動を続ける手段と、
前記サービングセル変更前の前記フローに対応するデータを、前記サービングセル変更後に前記ＵＥに送信するための前記活動サービングセルの待ち行列内で維持するよう求める命令を前記活動サービングセルに送るための手段と、を備える装置。
［Ｃ１３］
前記第１のサービングセルおよび前記第２のサービングセルのセル品質をランク付けした報告を前記ＵＥから受信するための手段であって、前記ランク付けされたセル品質による最強のセル品質に基づいて前記活動サービングセルが選択される手段をさらに備え、
前記活動サービングセルは１次サービングセルであり、非選択サービングセルは２次サービングセルである、Ｃ１２に記載の装置。
［Ｃ１４］
前記報告は、モビリティイベントの発生時の、１つまたは複数の基地局によって提供された１つまたは複数の近隣セルの前記セル品質のランク付けをさらに含み、前記モビリティイベントの前記発生時に、近隣セルが、前記近隣セルの前記セル品質が前記１次サービングセルまたは前記２次サービングセルの前記セル品質よりも強いときに、前記ＵＥに関連するアクティブセットに追加される、Ｃ１３に記載の装置。
［Ｃ１５］
前記サービングセル変更前の前記フローに対応するデータを、前記サービングセル変更後に前記ＵＥに送信するための前記活動サービングセルの待ち行列内で維持するよう求める命令を前記活動サービングセルに送るための手段をさらに備える、Ｃ１４に記載の方法。
［Ｃ１６］
前記近隣サービングセルの前記セル品質が前記１次サービングセルの前記セル品質を上回るときに、前記１次サービングセルを前記近隣サービングセルに置き換えることによって、１次サービングセル変更を実行するための手段であって、前記近隣サービングセルが新しい１次サービングセルになる手段と、
前記１次サービングセルの前記セル品質が前記２次サービングセルの前記セル品質を上回るときに、前記２次セルを前記１次サービングセルに置き換えることによって、２次サービングセル変更を実行するための手段であって、前記１次サービングセルが新しい２次サービングセルになる手段と、
前記新しい１次サービングセルの待ち行列内で前記フローに対応する前記データを維持するための手段と、
前記２次サービングセルの待ち行列内の前記フローに対応する前記データをフラッシュするための手段と、をさらに備える、Ｃ１５に記載の装置。
［Ｃ１７］
前記２次サービングセルの前記セル品質が前記１次サービングセルの前記セル品質を上回るときに、前記１次サービングセルを前記２次サービングセルに置き換えることによって、１次サービングセル変更を実行するための手段であって、前記２次サービングセルが新しい１次サービングセルになる手段と、
前記近隣サービングセルの前記セル品質が前記２次サービングセルの前記セル品質を上回るときに、前記２次セルを前記近隣サービングセルに置き換えることによって、２次サービングセル変更を実行するための手段であって、前記近隣サービングセルが新しい２次サービングセルになる手段と、
前記新しい１次サービングセルの待ち行列内で前記フローに対応する前記データを維持するための手段と、
前記２次サービングセルの待ち行列内の前記フローに対応する前記データをフラッシュするための手段と、をさらに備える、Ｃ１５に記載の装置。
［Ｃ１８］
前記近隣サービングセルの前記セル品質が前記１次サービングセルの前記セル品質を上回るときに、前記１次サービングセルを前記近隣サービングセルに置き換えることによって、１次サービングセル変更を実行するための手段であって、前記近隣サービングセルが新しい１次サービングセルになる手段と、
前記新しい１次サービングセルの待ち行列内で前記フローに対応する前記データを維持するための手段と、
前記１次サービングセルの待ち行列内の前記フローに対応する前記データをフラッシュするための手段と、をさらに備える、Ｃ１５に記載の装置。
［Ｃ１９］
前記２次サービングセルの前記セル品質が所定のしきい値を下回るときに、前記ＵＥに関連する前記アクティブセットから前記２次サービングセルを除去するための手段と、
前記２次サービングセルの待ち行列内の前記フローに対応する前記データをフラッシュするための手段と、をさらに備える、Ｃ１５に記載の装置。
［Ｃ２０］
前記２次サービングセルの前記セル品質が前記１次サービングセルの前記セル品質を上回るときに、前記１次サービングセルを前記２次サービングセルに置き換えることによって、１次サービングセル変更を実行するための手段であって、前記２次サービングセルが新しい１次サービングセルになる手段と、
前記１次サービングセルの前記セル品質が所定のしきい値を下回るときに、前記ＵＥに関連する前記アクティブセットから前記１次サービングセルを除去するための手段と、
前記１次サービングセルの待ち行列内の前記フローに対応する前記データをフラッシュするための手段と、をさらに備える、Ｃ１５に記載の装置。
［Ｃ２１］
コンピュータに、それぞれ第１のサービングセルと第２のサービングセルとを提供する少なくとも第１の基地局と第２の基地局とを利用しているユーザ機器（ＵＥ）に対し、前記ＵＥにおいてアグリゲートされるダウンリンクフローを送信させるための命令と、
コンピュータに、サービングセル変更を実行させるための命令であって、前記第１の基地局または前記第２の基地局が、前記ＵＥに対するサービングセルとしての活動を続ける命令と、
コンピュータに、前記サービングセル変更前の前記フローに対応するデータを、前記サービングセル変更後に前記ＵＥに送信するための前記活動サービングセルの待ち行列内で維持するよう求める命令を前記活動サービングセルに送らせるための命令と、
を備えるコンピュータ可読媒体を備えるコンピュータプログラム製品。
［Ｃ２２］
前記コンピュータ可読媒体が、
コンピュータに、前記第１のサービングセルおよび前記第２のサービングセルのセル品質をランク付けした報告を前記ＵＥから受信させるための命令であって、前記ランク付けされたセル品質による最強のセル品質に基づいて前記活動サービングセルが選択される命令をさらに備え、
前記活動サービングセルは１次サービングセルであり、非選択サービングセルは２次サービングセルである、Ｃ２１に記載のコンピュータプログラム製品。
［Ｃ２３］
前記報告は、モビリティイベントの発生時の、１つまたは複数の基地局によって提供された１つまたは複数の近隣セルの前記セル品質のランク付けをさらに含み、前記モビリティイベントの前記発生時に、近隣セルが、前記近隣セルの前記セル品質が前記１次サービングセルまたは前記２次サービングセルの前記セル品質よりも強いときに、前記ＵＥに関連するアクティブセットに追加される、Ｃ２２に記載の装置。
［Ｃ２４］
前記コンピュータ可読媒体が、
コンピュータに、前記サービングセル変更前の前記フローに対応するデータを、前記サービングセル変更後に前記ＵＥに送信するための前記活動サービングセルの待ち行列内で維持するよう求める命令を前記活動サービングセルに送らせるための命令をさらに備える、Ｃ２３に記載の方法。
［Ｃ２５］
前記コンピュータ可読媒体が、
コンピュータに、前記近隣サービングセルの前記セル品質が前記１次サービングセルの前記セル品質を上回るときに、前記１次サービングセルを前記近隣サービングセルに置き換えることによって、１次サービングセル変更を実行させるための命令であって、前記近隣サービングセルが新しい１次サービングセルになる命令と、
コンピュータに、前記１次サービングセルの前記セル品質が前記２次サービングセルの前記セル品質を上回るときに、前記２次セルを前記１次サービングセルに置き換えることによって、２次サービングセル変更を実行させるための命令であって、前記１次サービングセルが新しい２次サービングセルになる命令と、
コンピュータに、前記新しい１次サービングセルの待ち行列内で前記フローに対応する前記データを維持させるための命令と、
コンピュータに、前記２次サービングセルの待ち行列内の前記フローに対応する前記データをフラッシュさせるための命令と、をさらに備える、Ｃ２４に記載のコンピュータプログラム製品。
［Ｃ２６］
前記コンピュータ可読媒体が、
コンピュータに、前記２次サービングセルの前記セル品質が前記１次サービングセルの前記セル品質を上回るときに、前記１次サービングセルを前記２次サービングセルに置き換えることによって、１次サービングセル変更を実行させるための命令であって、前記２次サービングセルが新しい１次サービングセルになる命令と、
コンピュータに、前記近隣サービングセルの前記セル品質が前記２次サービングセルの前記セル品質を上回るときに、前記２次セルを前記近隣サービングセルに置き換えることによって、２次サービングセル変更を実行させるための命令であって、前記近隣サービングセルが新しい２次サービングセルになる命令と、
コンピュータに、前記新しい１次サービングセルの待ち行列内で前記フローに対応する前記データを維持させるための命令と、
コンピュータに、前記２次サービングセルの待ち行列内の前記フローに対応する前記データをフラッシュさせるための命令と、をさらに備える、Ｃ２４に記載のコンピュータプログラム製品。
［Ｃ２７］
前記コンピュータ可読媒体が、
コンピュータに、前記近隣サービングセルの前記セル品質が前記１次サービングセルの前記セル品質を上回るときに、前記１次サービングセルを前記近隣サービングセルに置き換えることによって、１次サービングセル変更を実行させるための命令であって、前記近隣サービングセルが新しい１次サービングセルになる命令と、
コンピュータに、前記新しい１次サービングセルの待ち行列内で前記フローに対応する前記データを維持させるための命令と、
コンピュータに、前記１次サービングセルの待ち行列内の前記フローに対応する前記データをフラッシュさせるための命令と、をさらに備える、Ｃ２４に記載のコンピュータプログラム製品。
［Ｃ２８］
前記コンピュータ可読媒体が、
コンピュータに、前記２次サービングセルの前記セル品質が所定のしきい値を下回るときに、前記ＵＥに関連する前記アクティブセットから前記２次サービングセルを除去させるための命令と、
コンピュータに、前記２次サービングセルの待ち行列内の前記フローに対応する前記データをフラッシュさせるための命令と、をさらに備える、Ｃ２４に記載のコンピュータプログラム製品。
［Ｃ２９］
前記コンピュータ可読媒体が、
コンピュータに、前記２次サービングセルの前記セル品質が前記１次サービングセルの前記セル品質を上回るときに、前記１次サービングセルを前記２次サービングセルに置き換えることによって、１次サービングセル変更を実行させるための命令であって、前記２次サービングセルが新しい１次サービングセルになる命令と、
コンピュータに、前記１次サービングセルの前記セル品質が所定のしきい値を下回るときに、前記ＵＥに関連する前記アクティブセットから前記１次サービングセルを除去させるための命令と、
コンピュータに、前記１次サービングセルの待ち行列内の前記フローに対応する前記データをフラッシュさせるための命令と、をさらに備える、Ｃ２４に記載のコンピュータプログラム製品。
［Ｃ３０］
ワイヤレス通信のための装置であって、
少なくとも１つのプロセッサと、
前記少なくとも１つのプロセッサに結合されたメモリと、を備え、
前記少なくとも１つのプロセッサが、
それぞれ第１のサービングセルと第２のサービングセルとを提供する少なくとも第１の基地局と第２の基地局とを利用しているユーザ機器（ＵＥ）に対し、前記ＵＥにおいてアグリゲートされるダウンリンクフローを送信することと、
サービングセル変更を実行することであって、前記第１の基地局または前記第２の基地局が、前記ＵＥに対するサービングセルとしての活動を続けることと、
前記サービングセル変更前の前記フローに対応するデータを、前記サービングセル変更後に前記ＵＥに送信するための前記活動サービングセルの待ち行列内で維持するよう求める命令を前記活動サービングセルに送ることと、を行うように構成された、装置。
［Ｃ３１］
前記少なくとも１つのプロセッサが、
前記第１のサービングセルおよび前記第２のサービングセルのセル品質をランク付けした報告を前記ＵＥから受信することであって、前記ランク付けされたセル品質による最強のセル品質に基づいて前記活動サービングセルが選択されることを行うようにさらに構成され、
前記活動サービングセルは１次サービングセルであり、非選択サービングセルは２次サービングセルである、Ｃ３０に記載の装置。
［Ｃ３２］
前記報告は、モビリティイベントの発生時の、１つまたは複数の基地局によって提供された１つまたは複数の近隣セルの前記セル品質のランク付けをさらに含み、前記モビリティイベントの前記発生時に、近隣セルが、前記近隣セルの前記セル品質が前記１次サービングセルまたは前記２次サービングセルの前記セル品質よりも強いときに、前記ＵＥに関連するアクティブセットに追加される、Ｃ３１に記載の装置。
［Ｃ３３］
前記少なくとも１つのプロセッサが、
前記サービングセル変更前の前記フローに対応するデータを、前記サービングセル変更後に前記ＵＥに送信するための前記活動サービングセルの待ち行列内で維持するよう求める命令を前記活動サービングセルに送ることを行うようにさらに構成された、Ｃ３２に記載の装置。
［Ｃ３４］
前記少なくとも１つのプロセッサが、
前記近隣サービングセルの前記セル品質が前記１次サービングセルの前記セル品質を上回るときに、前記１次サービングセルを前記近隣サービングセルに置き換えることによって、１次サービングセル変更を実行することであって、前記近隣サービングセルが新しい１次サービングセルになることと、
前記１次サービングセルの前記セル品質が前記２次サービングセルの前記セル品質を上回るときに、前記２次セルを前記１次サービングセルに置き換えることによって、２次サービングセル変更を実行することであって、前記１次サービングセルが新しい２次サービングセルになることと、
前記新しい１次サービングセルの待ち行列内で前記フローに対応する前記データを維持することと、
前記２次サービングセルの待ち行列内の前記フローに対応する前記データをフラッシュすることと、を行うようにさらに構成された、Ｃ３３に記載の装置。
［Ｃ３５］
前記少なくとも１つのプロセッサが、
前記２次サービングセルの前記セル品質が前記１次サービングセルの前記セル品質を上回るときに、前記１次サービングセルを前記２次サービングセルに置き換えることによって、１次サービングセル変更を実行することであって、前記２次サービングセルが新しい１次サービングセルになることと、
前記近隣サービングセルの前記セル品質が前記２次サービングセルの前記セル品質を上回るときに、前記２次セルを前記近隣サービングセルに置き換えることによって、２次サービングセル変更を実行することであって、前記近隣サービングセルが新しい２次サービングセルになることと、
前記新しい１次サービングセルの待ち行列内で前記フローに対応する前記データを維持することと、
前記２次サービングセルの待ち行列内の前記フローに対応する前記データをフラッシュすることと、を行うようにさらに構成された、Ｃ３３に記載の装置。
［Ｃ３６］
前記少なくとも１つのプロセッサが、
前記近隣サービングセルの前記セル品質が前記１次サービングセルの前記セル品質を上回るときに、前記１次サービングセルを前記近隣サービングセルに置き換えることによって、１次サービングセル変更を実行することであって、前記近隣サービングセルが新しい１次サービングセルになることと、
前記新しい１次サービングセルの待ち行列内で前記フローに対応する前記データを維持することと、
前記１次サービングセルの待ち行列内の前記フローに対応する前記データをフラッシュすることとを行うようにさらに構成された、Ｃ３３に記載の装置。
［Ｃ３７］
前記少なくとも１つのプロセッサが、
前記２次サービングセルの前記セル品質が所定のしきい値を下回るときに、前記ＵＥに関連する前記アクティブセットから前記２次サービングセルを除去することと、
前記２次サービングセルの待ち行列内の前記フローに対応する前記データをフラッシュすることとを行うようにさらに構成された、Ｃ３３に記載の装置。
［Ｃ３８］
前記少なくとも１つのプロセッサが、
前記２次サービングセルの前記セル品質が前記１次サービングセルの前記セル品質を上回るときに、前記１次サービングセルを前記２次サービングセルに置き換えることによって、１次サービングセル変更を実行することであって、前記２次サービングセルが新しい１次サービングセルになることと、
前記１次サービングセルの前記セル品質が所定のしきい値を下回るときに、前記ＵＥに関連する前記アクティブセットから前記１次サービングセルを除去することと、
前記１次サービングセルの待ち行列内の前記フローに対応する前記データをフラッシュすることと、を行うようにさらに構成された、Ｃ３３に記載の装置。
【外国語明細書】
2018033141000001.pdf